(57)【要約】  本発明の情報処理端末は、プレゼンスの通知によって複数のメンバに何らかの情報を伝える際に、一律に同じ内容を伝えるのではなく、メンバに応じて、伝える内容に差異を設けることができる。  本発明の情報処理端末は、プレゼンスを送信する情報処理端末１ａであって、当該情報処理端末１ａのステータスを表す第１のプレゼンスを第２のプレゼンスに変換するための変換テーブルに、前記変換テーブルを送信すべき送信先の情報処理端末を割り当てるプレゼンス決定部１５と、前記第１のプレゼンスと、前記プレゼンス決定部１５により前記送信先の情報処理端末に関する情報が割り当てられた前記変換テーブルに関する情報と、を送信する無線通信部１１と、を備えるものである。
2008155858.tif 000002
【特許請求の範囲】
【請求項１】
プレゼンスを送信する情報処理端末であって、
当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、
前記第１のプレゼンスと、前記変換テーブル割り当て手段により前記送信先の情報処理端末に関する情報が割り当てられた前記変換テーブルに関する情報と、を送信する送信手段と、
を備える情報処理端末。
【請求項２】
プレゼンスを受信する情報処理端末であって、
送信元の情報処理端末のステータスを表す第１のプレゼンスと、前記第１のプレゼンスを第２のプレゼンスに変換するための変換テーブルに関する情報と、を受信する受信手段と、
前記変換テーブルに関する情報に基づいて、前記第１のプレゼンスを前記第２のプレゼンスに変換するプレゼンス変換手段と、
前記第２のプレゼンスを出力する出力手段と、
を備える情報処理端末。
【請求項３】
プレゼンスを送受信する情報処理端末であって、
当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、
前記第１のプレゼンスと、前記変換テーブル割り当て手段により前記送信先の情報処理端末に関する情報が割り当てられた前記変換テーブルに関する情報と、を送信する送信手段と、
前記第１のプレゼンスと、前記変換テーブルに関する情報と、を受信する受信手段と、  前記変換テーブルに関する情報に基づいて、前記第１のプレゼンスを前記第２のプレゼンスに変換するプレゼンス変換手段と、
前記第２のプレゼンスを出力する出力手段と、
を備える情報処理端末。
【請求項４】
請求項１または３記載の情報処理端末であって、
前記変換テーブルは、プレゼンスの種別毎に設定された、前記第１のプレゼンスを前記第２のプレゼンスに変換するための変換要素テーブルによって構成される、
情報処理端末。
【請求項５】
請求項１または３記載の情報処理端末であって、
前記変換テーブルは、時刻に対応して設定された、前記第１のプレゼンスを前記第２のプレゼンスに変換するための変換要素テーブルによって構成される、
情報処理端末。
【請求項６】
請求項２または３記載の情報処理端末であって、
前記変換テーブルは、プレゼンスの種別毎に設定された、前記第１のプレゼンスを前記第２のプレゼンスに変換するための変換要素テーブルによって構成され、
前記プレゼンス変換手段は、当該情報処理端末のステータスを表す第３のプレゼンスの種別に対応する前記変換要素テーブルに基づいて、前記第１のプレゼンスを前記第２のプレゼンスに変換する、
情報処理端末。
【請求項７】
情報処理端末との間でプレゼンスを送受信するサーバであって、
第１の情報処理端末のステータスを表す第１のプレゼンスと、第２の情報処理端末に関する情報が割り当てられた前記変換テーブルに関する情報と、を受信する受信手段と、
前記変換テーブルに基づいて、前記第１のプレゼンスを前記第２のプレゼンスに変換するプレゼンス変換手段と、
前記プレゼンス変換手段により変換した前記第２のプレゼンスを、前記第２の情報処理端末に送信する送信手段と、
を備えるサーバ。
【請求項８】
請求項７記載のサーバであって、
前記変換テーブルは、プレゼンスの種別毎に設定された、前記第１のプレゼンスを前記第２のプレゼンスに変換するための変換要素テーブルによって構成され、
前記受信手段は、前記第２の情報処理端末のステータスを表す第３のプレゼンスを受信し、
前記プレゼンス変換手段は、前記受信手段により受信した前記第３のプレゼンスの種別に対応する前記変換要素テーブルに基づいて、前記第１のプレゼンスを前記第２のプレゼンスに変換する、
サーバ。
【請求項９】
請求項１または３記載の情報処理端末と、
前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、
を含んで構成されるプレゼンス配信システム。
【請求項１０】
請求項１記載の情報処理端末と、
請求項７記載のサーバと、
を含んで構成されるプレゼンス配信システム。
【請求項１１】
請求項７記載のサーバと、
前記第２のプレゼンスを受信する受信手段と、前記第２のプレゼンスを出力する出力手段と、を備える情報処理端末と、
を含んで構成されるプレゼンス配信システム。
【請求項１２】
前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、
請求項２または３記載の情報処理端末と、
を含んで構成されるプレゼンス配信システム。
【請求項１３】
請求項１記載の情報処理端末と、
請求項７記載のサーバと、
前記第２のプレゼンスを受信する受信手段と、前記第２のプレゼンスを出力する出力手段と、を備える情報処理端末と、
を含んで構成されるプレゼンス配信システム。
【請求項１４】
請求項１記載の情報処理端末と、
前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、
請求項２記載の情報処理端末と、
を含んで構成されるプレゼンス配信システム。
【発明の詳細な説明】
【技術分野】
【０００１】
本発明は、ＩＭＰＳ(インスタントメッセージ・アンド・プレゼンスサービス：Instant Message and Presence Service)を実施可能な、複数の情報処理端末（クライアント端末）とサーバとを構成要素として含み、複数の情報処理端末間で、サーバを経由してプレゼンスを送受信するプレゼンス配信システム、並びに、当該システムの構成要素としての情報処理端末及びサーバに関する。
【背景技術】
【０００２】
インターネットを利用したコミュニケーションツールとして、ＩＭＰＳ(インスタントメッセージ・アンド・プレゼンスサービス：Instant Message and Presence Service)システムが知られている（例えば、特許文献１参照）。【０００３】
ここで、ＩＭ（インスタントメッセージ）サービスとは、送信側の端末から送信されたメッセージを、サーバを経由して相手先の端末へリアルタイムで中継転送するシステムである。また、ＰＳ（プレゼンスサービス）とは、通信ネットワークを利用するユーザの状態（ステータス）を示す「プレゼンス」をグループメンバー間で共有し、これによって、そのユーザの現時点での状態に即した、「今だけの、ここだけの、そして自分だけのコミュニケーション」を実現するコミュニケーションサービスである。【０００４】
プレゼンスは、例えば、送信者の名前や年齢等の情報、ユーザが使用している通信装置の種類（モバイル機器／固定機器等）を示す情報、オンラインステータス（オンライン／オフライン）、ステータステキスト（フリーテキストで記述されるユーザの現在の状況を示す情報：例えば、会議中、離席中など）、ならびに、ユーザの現在の位置情報（例えば、住所、緯度経度等）などの情報を含む。【０００５】
プレゼンスを配信する従来の態様としては、予めグループを設定し、そのグループを構成するメンバには、共通のプレゼンスを自動的に（無条件で）送信する態様と、グループを設けず個別にプレゼンスを送信する態様と、がある。前者の態様の場合、ユーザがプレゼンスの送信を承認したグループのメンバには、ユーザのある時点の状態（ステータス）を示すプレゼンスが一律に送信される。また、後者の態様の場合、ユーザは、他のユーザに応じて、通知するプレゼンスの内容を調整（制限）することができる。【０００６】
なお、「ＩＭ（インスタントメッセージ）サービス」と「ＰＳ（プレゼンスサービス）」は、本来は、それぞれが独立したサービス概念と考えられているが、両サービスをまとめて、「インスタントメッセージサービス」、あるいは、「インスタントメッセージング」と呼ぶ場合があり、また、プレゼンスの共有を重視して「プレゼンスサービス」と呼ぶ場合も見受けられる。これらは、表現は異なるものの、実質的な内容に差はないものと考えられる。【０００７】
ここで、本明細書では、サービス内容の正確な記述の観点から、ＩＭ（インスタントメッセージ）サービスと、ＰＳ（プレゼンスサービス）とを併記した、ＩＭＰＳ(インスタントメッセージ・アンド・プレゼンスサービス)という用語を使用する。但し、上記のとおり、即時的なメッセージの交換が可能であるということは、すなわち、即時的なプレゼンスの交換、共有が可能であることを意味すると考えられるため、サービスの名称に拘泥する必要はない。【０００８】
なお、ＩＭＰＳに使用されるプロトコル等は、ＯＭＡ（オープン・モバイル・アライアンス：移動体通信関連企業が集まって設立された、規格の標準化等を指向する業界団体）の標準仕様書に準拠している。【０００９】
【特許文献１】特開２００３−２７１５３１号公報
【発明の開示】
【発明が解決しようとする課題】
【００１０】
上記のとおり、ＩＭＰＳサービスでは、予めグループを設定し、ユーザがプレゼンスの送信を承認したグループのメンバには、ユーザのその時点の状態（ステータス）を示すプレゼンスをリアルタイムで一律に送信するサービス態様がある。プレゼンスの内容は、ユーザがそのグループの特性等を考慮して、ある程度自由に決めることができる。但し、更新されたプレゼンスがサーバに一旦登録されると、どのメンバにも、その登録されたプレゼンスが一律に通知される。【００１１】
この態様では、相手によっては不要な内容、または、相手に知らせたくない内容が、その相手に通知されてしまう場合が生じる。例えば、メンバＡ、Ｂに「誕生日」を通知する場合、メンバＡ、Ｂに共通の内容のプレゼンスが通知されるため、「ＸＸＸＸ年ＹＹ月ＺＺ日」まで知られても良いメンバＡに合せてプレゼンスを設定してしまうと、「ＸＸＸＸ年」を知られたくないＢさんにまで「ＸＸＸＸ年ＹＹ月ＺＺ日」を知られてしまうことになる。すなわち、プレゼンスの内容を調整して通知相手に最適な通知内容を通知する手法には限度があり、通知相手に応じた通知内容を詳細に設定するといった柔軟なプレゼンス内容の設定ができず、この点で、ＩＭＰＳは、まだまだ不充分である。【００１２】
また、近年、セキュリティの重要さが高まっているため、不用意な情報の流出を避ける必要があり、この点でも、同じ内容のプレゼンスが、多くのメンバに一律に送信されてしまうサービス形態は改善の余地がある。【００１３】
一方、グループを設けず個別にプレゼンスを送信する態様では、許容範囲のプレゼンス内容のみを他のユーザのそれぞれに配信することができるが、そのプレゼンス内容を他のユーザ毎に個別に、プレゼンスを配信する度に設定しなければならない。このため、他のユーザの数が多くなるほど、プレゼンス内容を他のユーザ毎に管理する手間が大きくなる。【００１４】
本発明は、上記事情に鑑みてなされたもので、プレゼンスの通知によって複数のメンバに何らかの情報を伝える際に、一律に同じ内容を伝えるのではなく、メンバに応じて、伝える内容に差異を設けることを可能とし、ユーザの利便性を向上させ、ＩＭＰＳシステムがもつ潜在的な能力を十分に活かして、より多様なプレゼンスサービスを可能とすることを目的とする。
【課題を解決するための手段】
【００１５】
本発明の情報処理端末は、プレゼンスを送信する情報処理端末であって、当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、前記第１のプレゼンスと、前記変換テーブル割り当て手段により前記送信先の情報処理端末に関する情報が割り当てられた前記変換テーブルに関する情報と、を送信する送信手段と、を備えるものである。【００１６】
本発明の情報処理端末は、プレゼンスを受信する情報処理端末であって、送信元の情報処理端末のステータスを表す第１のプレゼンスと、前記第１のプレゼンスを第２のプレゼンスに変換するための変換テーブルに関する情報と、を受信する受信手段と、前記変換テーブルに関する情報に基づいて、前記第１のプレゼンスを前記第２のプレゼンスに変換するプレゼンス変換手段と、前記第２のプレゼンスを出力する出力手段と、を備えるものである。【００１７】
本発明の情報処理端末は、プレゼンスを送受信する情報処理端末であって、当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、前記第１のプレゼンスと、前記変換テーブル割り当て手段により前記送信先の情報処理端末に関する情報が割り当てられた前記変換テーブルに関する情報と、を送信する送信手段と、前記第１のプレゼンスと、前記変換テーブルに関する情報と、を受信する受信手段と、前記変換テーブルに関する情報に基づいて、前記第１のプレゼンスを前記第２のプレゼンスに変換するプレゼンス変換手段と、前記第２のプレゼンスを出力する出力手段と、を備えるものである。【００１８】
本発明のサーバは、情報処理端末との間でプレゼンスを送受信するサーバであって、第１の情報処理端末のステータスを表す第１のプレゼンスと、第２の情報処理端末に関する情報が割り当てられた前記変換テーブルに関する情報と、を受信する受信手段と、前記変換テーブルに基づいて、前記第１のプレゼンスを前記第２のプレゼンスに変換するプレゼンス変換手段と、前記プレゼンス変換手段により変換した前記第２のプレゼンスを、前記第２の情報処理端末に送信する送信手段と、を備えるものである。【００１９】
この構成により、プレゼンスの通知によって複数のメンバに何らかの情報を伝える際に、一律に同じ内容を伝えるのではなく、メンバに応じて、伝える内容に差異を設けることができる。【００２０】
また、本発明の情報処理端末は、前記変換テーブルが、プレゼンスの種別毎に設定された、前記第１のプレゼンスを前記第２のプレゼンスに変換するための変換要素テーブルによって構成される、ものを含む。【００２１】
また、本発明の情報処理端末は、前記変換テーブルが、時刻に対応して設定された、前記第１のプレゼンスを前記第２のプレゼンスに変換するための変換要素テーブルによって構成される、ものを含む。【００２２】
また、本発明の情報処理端末は、前記変換テーブルが、プレゼンスの種別毎に設定された、前記第１のプレゼンスを前記第２のプレゼンスに変換するための変換要素テーブルによって構成され、前記プレゼンス変換手段が、当該情報処理端末のステータスを表す第３のプレゼンスの種別に対応する前記変換要素テーブルに基づいて、前記第１のプレゼンスを前記第２のプレゼンスに変換する、ものを含む。【００２３】
また、本発明のサーバは、前記変換テーブルが、プレゼンスの種別毎に設定された、前記第１のプレゼンスを前記第２のプレゼンスに変換するための変換要素テーブルによって構成され、前記受信手段が、前記第２の情報処理端末のステータスを表す第３のプレゼンスを受信し、前記プレゼンス変換手段が、前記受信手段により受信した前記第３のプレゼンスの種別に対応する前記変換要素テーブルに基づいて、前記第１のプレゼンスを前記第２のプレゼンスに変換する、ものを含む。【００２４】
この構成により、プレゼンスの送信元となる情報処理端末は、プレゼンスの送信先となる他の情報処理端末に、より細かな内容のプレゼンスを通知することができる。【００２５】
本発明のプレゼンス配信システムは、プレゼンスを送信する本発明の情報処理端末と、前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、を含んで構成される。【００２６】
本発明のプレゼンス配信システムは、プレゼンスを送信する本発明の情報処理端末と、本発明のサーバと、を含んで構成される。【００２７】
本発明のプレゼンス配信システムは、本発明のサーバと、前記第２のプレゼンスを受信する受信手段と、前記第２のプレゼンスを出力する出力手段と、を備える情報処理端末と、を含んで構成される。【００２８】
本発明のプレゼンス配信システムは、前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、プレゼンスを受信する本発明の情報処理端末と、を含んで構成される。【００２９】
本発明のプレゼンス配信システムは、プレゼンスを送信する本発明の情報処理端末と、本発明のサーバと、前記第２のプレゼンスを受信する受信手段と、前記第２のプレゼンスを出力する出力手段と、を備える情報処理端末と、を含んで構成される。【００３０】
本発明のプレゼンス配信システムは、プレゼンスを送信する本発明の情報処理端末と、前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、プレゼンスを受信する本発明の情報処理端末と、を含んで構成される。
【発明の効果】
【００３１】
本発明により、プレゼンスの通知によって複数のメンバに何らかの情報を伝える際に、一律に同じ内容を伝えるのではなく、メンバに応じて、伝える内容に差異を設けることが可能となり、ユーザの利便性が向上し、また、より多様なプレゼンスサービスが実現する。【００３２】
すなわち、プレゼンスの送信先のメンバとの親しさの程度（例えば、顔見知り／非常に親しい）やカテゴリー（個人的な友人／会社の同僚）などに応じて、提供するプレゼンスの内容に差異を設けることができる。この結果、即時性をもつコミュニケーションツールとしてのＩＭＰＳ（インスタントメッセージ・アンド・プレゼンスサービス）におけるユーザの利便性の向上、また多様な活用を促進することができる。
【図面の簡単な説明】
【００３３】
【図１】本発明の実施の形態のプレゼンス配信システムの特徴を説明するための図
【図２】本発明の実施の形態のプレゼンス配信システムの特徴を説明するための図
【図３】本発明の第１実施形態のプレゼンス配信システムにおける、情報処理端末及びサーバの機能ブロック図
【図４】本発明の第１実施形態のプレゼンス配信システムによる通信シーケンス
【図５】本発明の第２実施形態のプレゼンス配信システムにおける、情報処理端末及びサーバの機能ブロック図
【図６】本発明の第２実施形態のプレゼンス配信システムによる通信シーケンス
【図７】本発明の第３実施形態のプレゼンス配信システムにおける変換テーブルの例
【図８】本発明の第１実施形態のプレゼンス配信システムによる通信シーケンス
【図９】本発明の第２実施形態のプレゼンス配信システムによる通信シーケンス
【図１０】本発明の第３実施形態のプレゼンス配信システムにおける変換テーブルのマトリックス
【符号の説明】
【００３４】
１  情報処理端末
１１  無線通信部
１２  位置決定部
１３  時刻取得部
１４、５１  記憶部
１５  出力部
１５、５２  プレゼンス決定部
１６  出力部
１６１  スピーカ
１６２  表示部
１７  入力部
１７１  操作ボタン
１７２  マイク
【発明を実施するための最良の形態】
【００３５】
以下、本発明の実施の形態のプレゼンス配信システムについて詳細に説明する。まず、図１に示す、本発明の実施の形態のプレゼンス配信システムの特徴を説明するための図を参照して、本発明の実施の形態のプレゼンス配信システムによるプレゼンスの配信処理の概要を説明する。【００３６】
図１に示すように、本発明の実施の形態のプレゼンス配信システムは、クライアント端末としての情報処理端末１ａ、１ｂ、１ｃと、サーバ２と、をインターネット等の通信回線（ＩＮ）を介して接続して構成される。情報処理端末１ａ、１ｂ、１ｃは、例えば、ボイスオーバーＩＰ機能（音声をパケット化してインターネットを介して通信する機能）を備えた携帯電話である。また、サーバ２は、例えば、携帯電話による通信を実現するために通信事業者が配備するサーバである。【００３７】
図１に示すプレゼンス配信システムでは、ユーザＡによって利用される情報処理端末１ａが、サーバ２を介して、ユーザＢによって利用される情報処理端末１ｂ及びユーザＣによって利用される情報処理端末１ｃそれぞれにプレゼンスを送信する場合の特徴を示している。まず、情報処理端末１ａの利用者であるユーザＡは、プレゼンスを送信したいユーザＢ及びユーザＣそれぞれに、情報処理端末１ａのステータス種別に対応する変換テーブルを作成する。情報処理端末１ａによって判定される、ユーザＡの状態の候補となるステータス種別には、例えば図１に示すように、「１．自宅」、「２．移動中（電話可）」、「３．移動中（電話不可）」、「４．外出中（電話可）」、「５．外出中（電話不可）」、「６．オンライン」などがある。情報処理端末１ａは、これらのステータス種別のうちのいずれか一つのステータスを示すプレゼンス（以後、後述するプレゼンス変換処理の基となるプレゼンスのことを「基本プレゼンス」と称する。）をサーバ２に送信することになる。【００３８】
また、変換テーブルは、上記ステータス種別を別のステータス種別に変換する対応関係を情報として保持している。図１では、変換テーブルＢは、ユーザＢによって利用される情報処理端末１ｂに割り当てるべき変換テーブルであり、上記ステータス種別「１．自宅」、「２．移動中（電話可）」、「３．移動中（電話不可）」、「４．外出中（電話可）」、「５．外出中（電話不可）」、「６．オンライン」がそれぞれ、別のステータス種別「１．電話可」、「２．電話可」、「３．電話不可」、「４．電話可」、「５．電話不可」、「６．電話不可」に対応する。同様に、変換テーブルＣは、ユーザＣによって利用される情報処理端末１ｃに割り当てるべき変換テーブルであり、上記ステータス種別「１．自宅」、「２．移動中（電話可）」、「３．移動中（電話不可）」、「４．外出中（電話可）」、「５．外出中（電話不可）」、「６．オンライン」がそれぞれ、別のステータス種別「１．オンライン」、「２．オフライン」、「３．オフライン」、「４．オフライン」、「５．オフライン」、「６．オフライン」に対応する。なお、変換テーブルそれぞれには、情報処理端末固有の識別情報が付加されており、この識別情報によって、情報処理端末１ｂに変換テーブルＢを、情報処理端末１ｃに変換テーブルＣを、それぞれ割り当てていることを情報処理端末１ａおよびサーバ２は識別することができる。【００３９】
情報処理端末１ａは、作成した変換テーブルＢ及び変換テーブルをサーバに送信する（図１における（１）の工程）。変換テーブルＢ及び変換テーブルＣを受信したサーバ２は、これらの変換テーブルＢ及び変換テーブルＣをサーバに備わる記憶装置に記憶しておく（図１における（２）の工程）。【００４０】
その後、情報処理端末１ａは、ユーザＡの状態を判定しステータス種別を特定すると、そのステータス種別を示す基本プレゼンスをサーバに送信する。図１では、情報処理端末１ａは、ユーザＡが自宅にいるものと判定し、ステータス種別「１．自宅」を示す基本プレゼンスをサーバに送信している（図１における（３）の工程）。基本プレゼンスを受信したサーバは、予め記憶しておいた変換テーブルＢ及び変換テーブルＣを参照して、変換テーブルＢ及び変換テーブルＣ毎に、その基本プレゼンスが示すステータス種別に対応する別のステータス種別を特定する（プレゼンス変換処理）。図１では、サーバ２は、変換テーブルＢを参照して別のステータス種別「１．電話可」を特定し、変換テーブルＣを参照して別のステータス種別「１．オンライン」を特定している。サーバ２は、変換テーブルＢ及び変換テーブルＣ毎に特定した別のステータスを示すプレゼンス（以後、プレゼンス変換処理を施した後のプレゼンスのことを「変換プレゼンス」と称する。）を、変換テーブルＢ及び変換テーブルＣに付加された情報処理端末固有の識別情報を基に、情報処理端末１ｂ及び情報処理端末１ｃに送信する。図１では、サーバ２は、別のステータス「１．電話可」を示す変換プレゼンスＢを情報処理端末１ｂに、別のステータス「１．オンライン」を示す変換プレゼンスＣを情報処理端末１ｃに、それぞれ送信している。変換プレゼンスを受信した情報処理端末１ｂまたは情報処理端末１ｃは、変換プレゼンスが示すステータス種別を出力し、ユーザＢまたはユーザＣにユーザＡのステータスを通知することになる。【００４１】
なお、プレゼンス配信システムには、情報処理端末の位置情報をステータスとして捉え、その位置情報を含むプレゼンスを当該情報処理端末が送信するものがある。上記ステータス種別として「７．位置情報表示許可」がある場合、別のステータス種別「７．広域地図表示許可」または「７．詳細地図表示許可」に対応させるようにして、他の情報処理端末毎に通知する位置情報の詳細さを調整してもよい。【００４２】
本発明の実施の形態のプレゼンス配信システムにより、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。【００４３】
また、送信先のユーザに応じたステータス種別を送信先のユーザ毎に設定し、送信する従来の構成では、送信元のユーザの情報処理端末は、送信先のユーザ毎に個別にプレゼンスを送信しなければならず、このため、送信先の他ユーザの数だけプレゼンスを送信する処理を繰り返さなければならなかった。本発明の実施の形態のプレゼンス配信システムにより、送信元のユーザの情報処理端末は、一度基本プレゼンスを送信する処理を行えば、送信先の他ユーザに変換プレゼンスが送信されるため、プレゼンスを送信する処理に伴う情報処理端末の負担を軽減することができると共に、プレゼンスを情報処理端末からサーバに送信する際の通信データ量が減ることによってネットワークにかかる負担を軽減することができる。【００４４】
また、本発明の実施の形態のプレゼンス配信システムでは、サーバによってプレゼンス変換処理が施された変換プレゼンスを送信先の情報処理端末に送信するため、送信先の情報処理端末に新たに機能を追加する必要がなく、したがって、従来の情報処理端末を構成に含むプレゼンス配信システムであっても構わない。【００４５】
ところで、上述した本発明の実施の形態のプレゼンス配信システムは、サーバ２がプレゼンス変換処理を行うものであった。別の形態として、プレゼンス配信システムにおける送信先の情報処理端末（図１における情報処理端末１ｂ、１ｃ）がプレゼンス変換処理を行う場合も考えられる。図２に示す、本発明の実施の形態のプレゼンス配信システムの特徴を説明するための図を参照して、本発明の実施の形態のプレゼンス配信システムによるプレゼンスの配信処理の概要を説明する。【００４６】
図２に示すプレゼンス配信システムでは、ユーザＡによって利用される情報処理端末１ａが、サーバ２を介して、ユーザＢによって利用される情報処理端末１ｂ及びユーザＣによって利用される情報処理端末１ｃそれぞれにプレゼンスを送信する場合の特徴を示している。まず、情報処理端末１ａの利用者であるユーザＡは、プレゼンスを送信したいユーザＢ及びユーザＣそれぞれに、情報処理端末１ａのステータス種別に対応する変換テーブルを作成する。変換テーブルそれぞれには、情報処理端末固有の識別情報が付加されており、この識別情報によって、情報処理端末１ｂに変換テーブルＢを、情報処理端末１ｃに変換テーブルＣを、それぞれ割り当てていることを情報処理端末１ａおよびサーバ２は識別することができる。【００４７】
情報処理端末１ａは、作成した変換テーブルＢ及び変換テーブルをサーバに送信する（図２における（１）の工程）。変換テーブルＢ及び変換テーブルＣを受信したサーバ２は、変換テーブルＢ及び変換テーブルＣに付加された情報処理端末固有の識別情報を基に、変換テーブルＢを情報処理端末１ｂに、変換テーブルＣを情報処理端末１ｃにそれぞれ送信する。変換テーブルを受信した情報処理端末１ｂ及び情報処理端末１ｃは、情報処理端末に備わる記憶装置に変換テーブルを記憶しておく（図２における（２）の工程）。【００４８】
その後、情報処理端末１ａは、ユーザＡの状態を判定しステータス種別を特定すると、そのステータス種別を示す基本プレゼンスをサーバに送信する（図２における（３）の工程）。基本プレゼンスを受信したサーバは、受信した基本プレゼンスを情報処理端末１ｂ及び情報処理端末１ｃに送信する（図２における（４）の工程）。基本プレゼンスを受信した情報処理端末１ｂまたは情報処理端末１ｃは、予め記憶しておいた変換テーブルＢまたは変換テーブルＣを参照して、その基本プレゼンスが示すステータス種別に対応する別のステータス種別を特定する（プレゼンス変換処理）。図２では、情報処理端末１ｂは、変換テーブルＢを参照して別のステータス種別「１．電話可」を特定し、また、情報処理端末１ｃは、変換テーブルＣを参照して別のステータス種別「１．オンライン」を特定している。情報処理端末１ｂまたは情報処理端末１ｃは、変換テーブルＢまたは変換テーブルＣ毎に特定した変換プレゼンスが示すステータス種別を出力し、ユーザＢまたはユーザＣにユーザＡのステータスを通知することになる。【００４９】
上述のように、プレゼンス配信システムにおける送信先の情報処理端末（図１における情報処理端末１ｂ、１ｃ）がプレゼンス変換処理を行う形態であっても、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。【００５０】
また、本発明の実施の形態のプレゼンス配信システムにより、送信元のユーザの情報処理端末は、一度基本プレゼンスを送信する処理を行えば、送信先の他ユーザの情報処理端末が変換プレゼンスに変換するため、プレゼンスを送信する処理に伴う情報処理端末の負担を軽減することができると共に、プレゼンスを情報処理端末からサーバに送信する際の通信データ量が減ることによってネットワークにかかる負担を軽減することができる。【００５１】
以下、サーバがプレゼンス変換処理を行う形態を第１実施形態として、送信先の情報処理端末がプレゼンス変換処理を行う形態を第２実施形態として、それぞれ詳細に説明する。【００５２】
（第１実施形態）
本発明の第１実施形態のプレゼンス配信システムの詳細について説明する。本発明の第１実施形態のプレゼンス配信システムは、上述したプレゼンス変換処理をサーバが行うものである。図３に、本発明の第１実施形態のプレゼンス配信システムにおける、情報処理端末及びサーバの機能ブロック図を示す。【００５３】
本発明の第１実施形態のプレゼンス配信システムは、複数の情報処理端末１ａ、１ｂ、１ｃ、１ｄと、サーバ２と、を含んで構成され、複数の情報処理端末１ａ、１ｂ、１ｃ、１ｄとサーバ２とが携帯電話網などのネットワークＩＮを介して接続されている。情報処理端末１ａは、無線通信部１１、位置決定部１２、時刻取得部１３、記憶部１４、プレゼンス決定部１５、出力部１６、入力部１７、を含んで構成される。情報処理端末１ｂ、１ｃ、１ｄも、情報処理端末１ａと同様の構成である。サーバ２は、ネットワーク通信部２１、記憶部２２、を含んで構成される。【００５４】
情報処理端末１ａにおいて、無線通信部１１は、サーバ２との間で無線通信を行う機能を有し、携帯端末装置１ａとサーバ２との間で取り決められた所定の通信方式及び通信プロトコルに則って、アンテナから入力した電気信号を復調し、さらに復号化を施してデジタルデータを取得する、または、デジタルデータに暗号化を施し、さらに変調した電気信号をアンテナに出力する。所定の通信方式としては、ＰＤＣ（Personal Digital Cellular）方式、ＧＳＭ（Global System for Mobile Communication）方式、ＩＭＴ（International Mobile Telecommunications）−２０００で標準化された方式、などが考えられる。また、プレゼンス配信を実現する通信プロトコルは、ＯＭＡ（オープン・モバイル・アライアンス）の標準仕様書に準拠している。【００５５】
位置決定部１２は、当該情報処理端末１ａが位置する位置座標を算出する機能を有し、例えば、基地局からの電波の到達時間に基づいて当該情報処理端末１ａの位置を測定する、または、ＧＰＳ機能を利用して当該情報処理端末１ａの位置を測定する。【００５６】
時刻取得部１３は、時刻を計時するカウンタ（図示せず）から現在時刻を取得する。【００５７】
記憶部１４は、当該情報処理端末１ａのステータス種別Ａ、情報処理端末１ｂ、１ｃ、１ｄに割り当てるべき変換テーブルＢ、Ｃ、Ｄ、及び、情報処理端末１ｂ、１ｃ、１ｄからサーバ２を介して受信したプレゼンス、を記憶する（ステータス種別及び変換テーブルの例は、図１を参照。）。情報処理端末１ａは、記憶部１４に記憶されたステータス種別Ａ、及び、変換テーブルＢ、Ｃ、Ｄを無線通信部１１によってサーバ２に送信し、それらのデータをサーバ２に登録しておく。【００５８】
プレゼンス決定部１５は、位置決定部１２から出力される位置情報、時刻取得部から出力される時刻情報、入力部１７から出力される入力操作情報を基に、ユーザＡの状態を判定し、そのユーザの状態に対応するステータス種別Ａを特定し、記憶部１４に出力する。また、プレゼンス決定部１５は、入力部１７から出力される入力操作情報を基に、変換テーブルを生成し、その変換テーブルを記憶部１４に出力する。また、プレゼンス決定部１５は、無線通信部１１から出力される他の情報処理端末１ｂ、１ｃ、１ｄのプレゼンスを記憶部１４に出力する。【００５９】
出力部１６は、スピーカ１６１、表示部１６２などによって構成される。出力部１６は、変換テーブルを生成する際にその生成を促す画面を表示部１６２によって表示したり、他の情報処理端末１ｂ、１ｃ、１ｄのプレゼンスをスピーカ１６１、表示部１６２によって出力する。【００６０】
入力部１７は、操作ボタン１７１、マイク１７２などによって構成される。入力部１７は、変換テーブルを生成する際に、各ステータス種別Ａに対応する別のステータスを指定する操作を受け付け、プレゼンス決定部１５に出力する。【００６１】
サーバ２において、ネットワーク通信部２１は、クライアント端末としての情報処理端末１との間で通信を行う機能を有し、携帯端末装置１とサーバ２との間で取り決められた所定の通信方式及び通信プロトコルに則って、通信を実施する。【００６２】
記憶部２２は、情報処理端末１ａ、１ｂ、１ｃ、１ｄ毎に受信した、ステータス種別及び変換テーブルを記憶する。記憶部２２は、例えば、情報処理端末１ａから受信した、情報処理端末１ａのステータス種別Ａ、及び、当該ステータス種別Ａに対応する、情報処理端末１ｂ、１ｃ、１ｄに割り当てるべき変換テーブルＢ、Ｃ、Ｄを記憶する（図３では、ステータス種別Ａ、及び、変換テーブルＢ、Ｃ、Ｄの集合をテーブルＡと記載している。）。同様に、サーバ２が情報処理端末１ｂから情報処理端末１ｂのステータス種別Ｂ、及び、当該ステータス種別Ｂに対応する、情報処理端末１ａ、１ｃ、１ｄに割り当てるべき変換テーブルＡ、Ｃ、Ｄを受信した場合、記憶部２２は、情報処理端末１ｂのステータス種別Ｂ、及び、変換テーブルＡ、Ｃ、Ｄを記憶する（図３では、ステータス種別Ｂ、及び、変換テーブルＡ、Ｃ、Ｄの集合をテーブルＢと記載している。同様に、テーブルＣは、情報処理端末１ｃから受信したステータス種別Ｃ、及び変換テーブルＡ、Ｂ、Ｄの集合であり、テーブルＤは、情報処理端末１ｄから受信したステータス種別Ｄ、及び変換テーブルＡ、Ｂ、Ｃの集合である）。【００６３】
続いて、本発明の第１実施形態のプレゼンス配信システムによる処理の流れを、図４に示す、本発明の第１実施形態のプレゼンス配信システムによる通信シーケンスを参照して、説明する。【００６４】
情報処理端末１ａは、入力部１７によって受け付けた操作を基に、当該情報処理端末１ａのステータス種別Ａ毎に別のステータスを対応付け、他の情報処理端末１ｂ、１ｃ、１ｄに割り当てるべき変換テーブルＢ、Ｃ、Ｄを生成し（処理（１））、記憶部１４に記憶する。情報処理端末１ａは、記憶した変換テーブルＢ、Ｃ、Ｄに関するデータと、各変換テーブルＢ、Ｃ、Ｄを送信すべき情報処理端末１ｂ、１ｃ、１ｄを識別する通信識別子と、を対応付け、それらの対応付けたデータをＰＵＢＬＩＳＨメッセージのボディ部に付与し、そのＰＵＢＬＩＳＨメッセージをサーバ２に送信する（処理（２））。【００６５】
ＰＵＢＬＩＳＨメッセージを受信したサーバ２は、ＰＵＢＬＩＳＨメッセージを受信したことを通知する２００ＯＫメッセージを情報処理端末１ａに送信する（処理（３））。さらに、サーバ２は、ＰＵＢＬＩＳＨメッセージに付与されている変換テーブルＢ、Ｃ、Ｄに関するデータと情報処理端末１ｂ、１ｃ、１ｄを識別する通信識別子を抽出し、変換テーブルと通信識別子を対応付けて記憶部２２に記憶する（処理（４））。【００６６】
その後、情報処理端末１ａは、ユーザＡの状態を判定し、そのユーザの状態に対応するステータスを特定すると（処理（５））、そのステータスをボディ部に付与したＰＵＢＬＩＳＨメッセージをサーバに送信する（処理（６））。【００６７】
ＰＵＢＬＩＳＨメッセージを受信したサーバ２は、ＰＵＢＬＩＳＨメッセージを受信したことを通知する２００ＯＫメッセージを情報処理端末１ａに送信する（処理（７））。さらに、サーバ２は、ＰＵＢＬＩＳＨメッセージに付与されているステータスを抽出し、記憶部２２に記憶しておいた変換テーブルＢ、Ｃ、Ｄ毎に、抽出したステータスの種別に対応する別のステータスを特定する（処理（８））。さらに、サーバ２は、特定した別のステータスをＮＯＴＩＦＹメッセージに付与し、その別のステータスを特定する上で参照した変換テーブルに対応する通信識別子宛にＮＯＴＩＦＹメッセージを送信する（処理（９））。【００６８】
ＮＯＴＩＦＹメッセージを受信した情報処理端末１ｂ、１ｃ、１ｄは、ＮＯＴＩＦＹメッセージを受信したことを通知する２００ＯＫメッセージをサーバ２に送信する（処理（１０））。そして、情報処理端末１ｂ、１ｃ、１ｄは、ＮＯＴＩＦＹメッセージに付与されている別のステータスを抽出し、情報処理端末１ａのステータスを示す変換プレゼンスとして記憶部１４（他情報処理端末のプレゼンス）に記憶し、適宜出力する（処理（１１））。【００６９】
以上、本発明の第１実施形態のプレゼンス配信システムによれば、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。【００７０】
また、送信先のユーザに応じたステータス種別を送信先のユーザ毎に設定し、送信する従来の構成では、送信元のユーザの情報処理端末は、送信先のユーザ毎に個別にプレゼンスを送信しなければならず、このため、送信先の他ユーザの数だけプレゼンスを送信する処理を繰り返さなければならなかった。本発明の実施の形態のプレゼンス配信システムにより、送信元のユーザの情報処理端末は、一度基本プレゼンスを送信する処理を行えば、送信先の他ユーザに変換プレゼンスが送信されるため、プレゼンスを送信する処理に伴う情報処理端末の負担を軽減することができると共に、プレゼンスを情報処理端末からサーバに送信する際の通信データ量が減ることによってネットワークにかかる負担を軽減することができる。【００７１】
また、本発明の実施の形態のプレゼンス配信システムでは、サーバによってプレゼンス変換処理が施された変換プレゼンスを送信先の情報処理端末に送信するため、送信先の情報処理端末に新たに機能を追加する必要がなく、したがって、従来の情報処理端末を構成に含むプレゼンス配信システムであっても構わない。【００７２】
なお、本発明の第１実施形態のプレゼンス配信システムでは、処理（２）において、情報処理端末１ａが、変換テーブルＢ、Ｃ、Ｄに関するデータと、各変換テーブルＢ、Ｃ、Ｄを送信すべき情報処理端末１ｂ、１ｃ、１ｄを識別する通信識別子と、を対応付ける際、情報処理端末１ａのユーザＡが対応付ける入力操作を行う場合と、情報処理端末１ａが何らかのデータを基に自動で対応付ける場合とが想定される。ここでは、変換テーブルと通信識別子を自動で対応付ける構成例を説明する。【００７３】
一つ目の構成例は、変換テーブルと通信識別子を自動で対応付けるためのデータとして、近年の携帯端末に搭載されているアドレス帳に利用されるデータを参照する構成である。アドレス帳の機能の中には、アドレス帳に登録されている登録者毎に属性を設定することができる機能がある。属性の最たる例としては、グループ属性が挙げられ、「家族」、「友人」、「仕事」等のグループ属性が特定の登録者に割り当てられている。携帯端末の利用者は、新密度に応じて登録者をグループ分けしていることが多いため、あるグループ属性が設定されたすべての登録者には共通のプレゼンスを知らせても構わないと考えられる。このため、情報処理端末１ａのユーザＡがグループ属性毎に変換テーブルを手動で設定し、その後、同グループ属性が設定されたすべての登録者に同変換テーブルを一律に割り当て、かつ、同登録者の通信識別子（登録者の一情報として、通信識別子が登録されている。）と対応付ければ、登録者毎に変換テーブルを手動で割り当てる場合と比べて、ユーザＡによる入力操作の手間を省くことができる。【００７４】
二つ目の構成例は、変換テーブルと通信識別子を自動で対応付けるためのデータとして、音声通話の発着信履歴または電子メールの送受信履歴を参照する構成である。音声通話の発着信履歴には音声通話の通話相手、及び、通話を開始した時刻、終了した時刻などの時刻情報、電子メールの送受信履歴には電子メールの送信元または送信先、及び、電子メールを送信した時刻または受信した時刻などの時刻情報、がそれぞれ含まれている。これらの時刻情報と現在時刻との差分が小さいほど、携帯端末の利用者にとって新密度が高いとみなし、その差分に応じて音声通話の通話相手や電子メールの送信元または送信先に適切な変換テーブルを割り当て、かつ、その音声通話の通話相手や電子メールの送信元または送信先の通信識別子と対応付ければ、登録者毎に変換テーブルを手動で割り当てる場合と比べて、ユーザＡによる入力操作の手間を省くことができる。なお、ここでは、時刻情報と現在時刻との差分に応じて変換テーブルを割り当てる構成について述べたが、音声通話の回数や送受信回数に応じて変換テーブルを割り当てる構成であっても同様の効果を得ることができる。【００７５】
（第２実施形態）
本発明の第２実施形態のプレゼンス配信システムの詳細について説明する。本発明の第２実施形態のプレゼンス配信システムは、プレゼンス変換処理を送信先の情報処理端末が行うものである。図５に、本発明の第２実施形態のプレゼンス配信システムにおける、情報処理端末及びサーバの機能ブロック図を示す。【００７６】
本発明の第２実施形態のプレゼンス配信システムは、複数の情報処理端末１ａ、１ｂ、１ｃ、１ｄと、サーバ２と、を含んで構成され、複数の情報処理端末１ａ、１ｂ、１ｃ、１ｄとサーバ２とが携帯電話網などのネットワークＩＮを介して接続されている。情報処理端末１ａは、無線通信部１１、位置決定部１２、時刻取得部１３、プレゼンス決定部１５、出力部１６、入力部１７、記憶部５１、を含んで構成される。情報処理端末１ｂ、１ｃ、１ｄも、情報処理端末１ａと同様の構成である。サーバ２は、ネットワーク通信部２１、を含んで構成される。図３の機能ブロック図における各部と同一の参照符号を付与したものについては、第１実施形態で説明したとおりであるため、説明を省略する。【００７７】
記憶部５１は、送信用変換テーブルと、受信済変換テーブルと、情報処理端末１ｂ、１ｃ、１ｄのプレゼンスと、を記憶する。送信用変換テーブルは、情報処理端末１ａのステータス種別Ａと、情報処理端末１ａが情報処理端末１ｂ、１ｃ、１ｄに送信する送信変換テーブルＢ、Ｃ、Ｄと、から構成される（ステータス種別Ａ及び変換テーブルＢ、Ｃ、Ｄの例は、図２の処理（１）に示すテーブルを参照。）。ステータス種別Ａと送信要求テーブルＢ、Ｃ、Ｄとは、情報処理端末１ａが他の情報処理端末１ｂ、１ｃ、１ｄに送信し、他の情報処理端末１ｂ、１ｃ、１ｄによるステータス種別Ａの変換のために用いられるデータである。また、受信済変換テーブルは、他の情報処理端末１ｂ、１ｃ、１ｄのステータス種別Ｂ、Ｃ、Ｄと、情報処理端末１ａが情報処理端末１ｂ、１ｃ、１ｄから受信した受信変換テーブルＢ、Ｃ、Ｄと、から構成される（ステータス種別Ａ及び変換テーブルＢ、Ｃ、Ｄの例は、図２の処理（２）を参照。）。ステータス種別Ｂ、Ｃ、Ｄと受信変換テーブルＢ、Ｃ、Ｄとは、情報処理端末１ａが他の情報処理端末１ｂ、１ｃ、１ｄから受信し、情報処理端末１ａによるステータス種別Ｂ、Ｃ、Ｄの変換のために用いられるデータである。【００７８】
プレゼンス決定部５２は、位置決定部１２から出力される位置情報、時刻取得部から出力される時刻情報、入力部１７から出力される入力操作情報を基に、ユーザＡの状態を判定し、そのユーザの状態に対応するステータス種別Ａを特定し、記憶部５１に出力する。また、プレゼンス決定部１５は、入力部１７から出力される入力操作情報を基に、送信用変換テーブルの送信変換テーブルを生成し、その送信変換テーブルを記憶部５１に出力する。また、プレゼンス決定部１５は、無線通信部１１から出力される他の情報処理端末１ｂ、１ｃ、１ｄのステータス種別Ｂ、Ｃ、Ｄと、受信変換テーブルＢ、Ｃ、Ｄと、を記憶部１４に出力する。【００７９】
続いて、本発明の第２実施形態のプレゼンス配信システムによる処理の流れを、図６に示す、本発明の第２実施形態のプレゼンス配信システムによる通信シーケンスを参照して、説明する。【００８０】
情報処理端末１ａは、入力部１７によって受け付けた操作を基に、当該情報処理端末１ａのステータス種別Ａ毎に別のステータスを対応付け、他の情報処理端末１ｂ、１ｃ、１ｄに送信する送信変換テーブルＢ、Ｃ、Ｄを生成し（処理（１））、記憶部１４に記憶する。情報処理端末１ａは、記憶した送信変換テーブルＢ、Ｃ、Ｄに関するデータと、各送信変換テーブルＢ、Ｃ、Ｄを送信すべき情報処理端末１ｂ、１ｃ、１ｄを識別する通信識別子と、を対応付け、それらの対応付けたデータをＰＵＢＬＩＳＨメッセージのボディ部に付与し、そのＰＵＢＬＩＳＨメッセージをサーバ２に送信する（処理（２））。【００８１】
ＰＵＢＬＩＳＨメッセージを受信したサーバ２は、ＰＵＢＬＩＳＨメッセージを受信したことを通知する２００ＯＫメッセージを情報処理端末１ａに送信する（処理（３））。さらに、サーバ２は、ＰＵＢＬＩＳＨメッセージに付与されている送信変換テーブルＢ、Ｃ、Ｄに関するデータと情報処理端末１ｂ、１ｃ、１ｄを識別する通信識別子を抽出し、送信変換テーブルＢ、Ｃ、Ｄそれぞれを受信変換テーブルＡとして生成する（処理（４））。サーバ２は、生成した受信変換テーブルＡをＮＯＴＩＦＹメッセージに付与し、送信変換テーブルＢ、Ｃ、Ｄに対応する通信識別子宛にそのＮＯＴＩＦＹメッセージに送信する（処理（５））。【００８２】
ＮＯＴＩＦＹメッセージを受信した情報処理端末１ｂ、１ｃ、１ｄは、ＮＯＴＩＦＹメッセージを受信したことを通知する２００ＯＫメッセージをサーバ２に送信する（処理（６））。さらに、情報処理端末１ｂ、１ｃ、１ｄは、ＮＯＴＩＦＹメッセージに付与されている受信変換テーブルＡを記憶部２２に記憶する（処理（７））。【００８３】
なお、図５では、送信変換テーブルＢ、Ｃ、Ｄは、情報処理端末１ａが情報処理端末１ｂ、１ｃ、１ｄそれぞれに宛てて送信したテーブルであるため、送信変換テーブルＸ（Ｘ＝Ｂ、Ｃ、Ｄ）の「Ｘ」には送信先の情報処理端末１ｘ（ｘ＝ｂ、ｃ、ｄ）の「ｘ」に対応させて記載し、一方、受信変換テーブルＡは、情報処理端末１ｂ、１ｃ、１ｄそれぞれが情報処理端末１ａから受信したテーブルであるため、受信変換テーブルＡの「Ａ」には送信元の情報処理端末１ａの「ａ」に対応させて記載している。情報処理端末１ｂ、１ｃ、１ｄのいずれかが、情報処理端末１ｂ、１ｃ、１ｄのステータス種別Ｂ、Ｃ、Ｄ及び送信変換テーブルＡを情報処理端末１ａ宛てに送信した場合、情報処理端末１ａは、受信変換テーブルＢ、Ｃ、Ｄを受信し、記憶することになる。【００８４】
その後、情報処理端末１ａは、ユーザＡの状態を判定し、そのユーザの状態に対応するステータスを特定すると（処理（８））、そのステータスをボディ部に付与したＰＵＢＬＩＳＨメッセージをサーバに送信する（処理（９））。【００８５】
ＰＵＢＬＩＳＨメッセージを受信したサーバ２は、ＰＵＢＬＩＳＨメッセージを受信したことを通知する２００ＯＫメッセージを情報処理端末１ａに送信する（処理（１０））。さらに、サーバ２は、ＰＵＢＬＩＳＨメッセージに付与されているステータスを抽出し、その抽出したステータスをＮＯＴＩＦＹメッセージに付与し、情報処理端末１ｂ、１ｃ、１ｄにＮＯＴＩＦＹメッセージを送信する（処理（１１））【００８６】
ＮＯＴＩＦＹメッセージを受信した情報処理端末１ｂ、１ｃ、１ｄは、ＮＯＴＩＦＹメッセージを受信したことを通知する２００ＯＫメッセージをサーバ２に送信する（処理（１１））。そして、情報処理端末１ｂ、１ｃ、１ｄは、ＮＯＴＩＦＹメッセージに付与されているステータスを抽出し、自端末の記憶部２２に記憶しておいた受信変換テーブルＡを参照して、抽出したステータスの種別に対応する別のステータスを特定し（処理（１３））、情報処理端末１ａのステータスを示す変換プレゼンスとして記憶部１４（他情報処理端末のプレゼンス）に記憶し、適宜出力する（処理（１４））。【００８７】
以上、本発明の第２実施形態のプレゼンス配信システムによれば、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。【００８８】
また、本発明の第２実施形態のプレゼンス配信システムにより、送信元のユーザの情報処理端末は、一度基本プレゼンスを送信する処理を行えば、送信先の他ユーザの情報処理端末が変換プレゼンスに変換するため、プレゼンスを送信する処理に伴う情報処理端末の負担を軽減することができると共に、プレゼンスを情報処理端末からサーバに送信する際の通信データ量が減ることによってネットワークにかかる負担を軽減することができる。【００８９】
なお、本発明の第２実施形態のプレゼンス配信システムでは、処理（２）において、情報処理端末１ａが、変換テーブルＢ、Ｃ、Ｄに関するデータと、各変換テーブルＢ、Ｃ、Ｄを送信すべき情報処理端末１ｂ、１ｃ、１ｄを識別する通信識別子と、を対応付ける際、情報処理端末１ａのユーザＡが対応付ける入力操作を行う場合と、情報処理端末１ａが何らかのデータを基に自動で対応付ける場合とが想定される。ここでは、変換テーブルと通信識別子を自動で対応付ける構成例を説明する。【００９０】
一つ目の構成例は、変換テーブルと通信識別子を自動で対応付けるためのデータとして、近年の携帯端末に搭載されているアドレス帳に利用されるデータを参照する構成である。アドレス帳の機能の中には、アドレス帳に登録されている登録者毎に属性を設定することができる機能がある。属性の最たる例としては、グループ属性が挙げられ、「家族」、「友人」、「仕事」等のグループ属性が特定の登録者に割り当てられている。携帯端末の利用者は、新密度に応じて登録者をグループ分けしていることが多いため、あるグループ属性が設定されたすべての登録者には共通のプレゼンスを知らせても構わないと考えられる。このため、情報処理端末１ａのユーザＡがグループ属性毎に変換テーブルを手動で設定し、その後、同グループ属性が設定されたすべての登録者に同変換テーブルを一律に割り当て、かつ、同登録者の通信識別子（登録者の一情報として、通信識別子が登録されている。）と対応付ければ、登録者毎に変換テーブルを手動で割り当てる場合と比べて、ユーザＡによる入力操作の手間を省くことができる。【００９１】
二つ目の構成例は、変換テーブルと通信識別子を自動で対応付けるためのデータとして、音声通話の発着信履歴または電子メールの送受信履歴を参照する構成である。音声通話の発着信履歴には音声通話の通話相手、及び、通話を開始した時刻、終了した時刻などの時刻情報、電子メールの送受信履歴には電子メールの送信元または送信先、及び、電子メールを送信した時刻または受信した時刻などの時刻情報、がそれぞれ含まれている。これらの時刻情報と現在時刻との差分が小さいほど、携帯端末の利用者にとって新密度が高いとみなし、その差分に応じて音声通話の通話相手や電子メールの送信元または送信先に適切な変換テーブルを割り当て、かつ、その音声通話の通話相手や電子メールの送信元または送信先の通信識別子と対応付ければ、登録者毎に変換テーブルを手動で割り当てる場合と比べて、ユーザＡによる入力操作の手間を省くことができる。なお、ここでは、時刻情報と現在時刻との差分に応じて変換テーブルを割り当てる構成について述べたが、音声通話の回数や送受信回数に応じて変換テーブルを割り当てる構成であっても同様の効果を得ることができる。【００９２】
（第３実施形態）
本発明の第１実施形態及び第２実施形態のプレゼンス配信システムは、基本プレゼンスの送信元の情報処理端末のユーザが変換後の変換プレゼンスを設定するものであった。本発明の第３実施形態では、プレゼンスを配信する時刻や送信先の情報処理端末のステータスなどの情報を変換テーブルに反映させた一形態について説明する。なお、本発明の第３実施形態のプレゼンス配信システムの構成は、本発明の第１実施形態のプレゼンス配信システムにおける情報処理端末１ａの記憶部１４及びサーバ２の記憶部２２、または本発明の第２実施形態のプレゼンス配信システムにおける情報処理端末１ａの記憶部５１に記憶させる変換テーブルに関する情報が異なる点を除いて、本発明の第１実施形態または第２実施形態で説明したとおりであるため、説明を省略する。図７に、本発明の第３実施形態のプレゼンス配信システムにおける変換テーブルの例を示す。【００９３】
図７（ａ）に示すように、情報処理端末１ａによって生成される変換テーブルＢまたは送信変換テーブルには、当該情報処理端末１ａのステータス種別Ａ毎に割り当てられる別のステータスが、時間帯「００：００−０４：００」、「０４：００−０８：００」、「０８：００−１２：００」…毎に、設定されている。なお、各時間帯における一連の別のステータスを変換要素テーブルと称することがある。【００９４】
図７（ａ）に示す変換テーブルを用いた場合、第１実施形態におけるサーバ２は、ＰＵＢＬＩＳＨメッセージを受信すると、ＰＵＢＬＩＳＨメッセージに付与されているステータスを抽出し、記憶部２２に記憶しておいた変換テーブルＢ、Ｃ、Ｄ毎に、抽出したステータスの種別に対応する別のステータスを、ＰＵＢＬＩＳＨメッセージを受信した時刻を時間帯（「００：００−０４：００」、「０４：００−０８：００」、「０８：００−１２：００」のいずれか）に含む変換要素テーブルの中から特定する（処理（８））。【００９５】
また、図７（ａ）に示す変換テーブルを用いた場合、第２実施形態における情報処理端末１ｂ、１ｃ、１ｄは、ＮＯＴＩＦＹメッセージに付与されているステータスを抽出し、自端末の記憶部２２に記憶しておいた受信変換テーブルＡを参照して、抽出したステータスの種別に対応する別のステータスの種別を、ＮＯＴＩＦＹメッセージを受信した時刻を時間帯に含む変換要素テーブルの中から特定する（処理（１３））。【００９６】
この構成により、他の情報処理端末により細かな内容のプレゼンスを通知することができる。【００９７】
また、本発明の第３実施形態のプレゼンス配信システムにおける変換テーブルの他例としては、次のものがある。すなわち、図７（ｂ）に示すように、情報処理端末１ａによって生成される変換テーブルＢまたは送信変換テーブルには、当該情報処理端末１ａのステータス種別Ａ毎に割り当てられる別のステータスが、他情報処理端末から通知されるステータス「離席中」、「在席中」、「仕事中」…毎に、設定されている。なお、他情報処理端末から通知されるあるステータスにおける一連の別のステータスを変換要素テーブルと称することがある。【００９８】
図８に示す、本発明の第１実施形態のプレゼンス配信システムによる通信シーケンスのように、サーバ２は、図４のシーケンスに示す処理（５）、（６）を行った情報処理端末１ａから基本プレゼンスを受信するように、そのユーザの状態に対応するステータスを特定し（処理（１２））、そのステータスをボディ部に付与したＰＵＢＬＩＳＨメッセージをサーバに送信する（処理（１３））情報処理端末１ｂ、１ｃ、１ｄからも、同様に基本プレゼンスを受信することができる。ＰＵＢＬＩＳＨメッセージを情報処理端末１ａから受信したサーバ２は、ＰＵＢＬＩＳＨメッセージに付与されているステータスを抽出し、記憶部２２に記憶しておいた変換テーブルＢ、Ｃ、Ｄ毎に、抽出したステータスの種別に対応する別のステータスを、処理（１３）にて情報処理端末１ｂ、１ｃ、１ｄからそれぞれ受信したＰＵＢＬＩＳＨメッセージに付与されているステータス（「離席中」、「在席中」、「仕事中」…のいずれか）に対応する交換要素テーブルの中から特定する（処理（８））。【００９９】
また、図９に示す、本発明の第２実施形態のプレゼンス配信システムによる通信シーケンスのように、情報処理端末１ｂ、１ｃ、１ｄは、情報処理端末１ａが図６のシーケンスに示す処理（８）を行ってユーザＡの状態に対応するステータスを特定しているように、同様にユーザＢ、Ｃ、Ｄの状態に対応するステータスを特定している（処理（１５））。ＮＯＴＩＦＹメッセージをサーバ２から受信した情報処理端末１ｂ、１ｃ、１ｄは、ＮＯＴＩＦＹメッセージに付与されているステータスを抽出し、自端末の記憶部２２に記憶しておいた受信変換テーブルＡを参照して、抽出したステータスの種別に対応する別のステータスを、処理（１５）にて情報処理端末１ｂ、１ｃ、１ｄが特定したステータス（「離席中」、「在席中」、「仕事中」…のいずれか）に対応する交換要素テーブルの中から特定する（処理（１３））。【０１００】
この構成により、他の情報処理端末により細かな内容のプレゼンスを通知することができる。【０１０１】
また、送信元となる情報処理端末のステータス種別毎に、時間帯「００：００−０４：００」、「０４：００−０８：００」、「０８：００−１２：００」…やプレゼンスの送信先の情報処理端末のステータス「離席中」、「在席中」、「仕事中」…の組み合わせに応じて、別のステータスを割り当てるようにしても構わない。すなわち、図１０に示す、本発明の第３実施形態のプレゼンス配信システムにおける変換テーブルのマトリックスのように、送信元のユーザのステータス種別、時間帯、及び送信先のユーザのステータス種別を軸とする３次元のマトリックスであって、マトリックスを構成する各セルに別のステータスが割り当てられる変換テーブルであっても構わない。なお、図１０のようなマトリックス自体にはメッセージそのものを記憶する代わりに、このマトリックス自体にはステータス種別を示す番号、又はステータス種別に関する情報の格納先を示すポインタ若しくはアドレスを記憶するようにしてもよい。【０１０２】
なお、上記送信先の情報処理端末のステータス種別として、当該送信先の情報処理端末の位置の位置情報としてもよい。このとき、送信先の情報処理端末の位置情報に応じて、送信先の情報処理端末のステータス「離席中」、「在席中」、「仕事中」…が特定される。【０１０３】
以上、本発明の第３実施形態のプレゼンス配信システムによれば、プレゼンスの送信元となる情報処理端末は、プレゼンスの送信先となる他の情報処理端末に、より細かな内容のプレゼンスを通知することができる。このため、当該システムの利用者に提供するプレゼンス配信サービスの利便性が向上する。【０１０４】
本発明を詳細にまた特定の実施態様を参照して説明したが、本発明の精神と範囲を逸脱することなく様々な変更や修正を加えることができることは当業者にとって明らかである。
【産業上の利用可能性】
【０１０５】
本発明により、プレゼンスの通知によって複数のメンバに何らかの情報を伝える際に、一律に同じ内容を伝えるのではなく、メンバに応じて、伝える内容に差異を設けることが可能となる結果、ユーザの利便性が向上するという効果を奏し、ＩＭＰＳを実施可能なプレゼンス配信システムの分野において有用である。
【図１】
2008155858.tif 000003
【図２】
2008155858.tif 000004
【図３】
2008155858.tif 000005
【図４】
2008155858.tif 000006
【図５】
2008155858.tif 000007
【図６】
2008155858.tif 000008
【図７】
2008155858.tif 000009
【図８】
2008155858.tif 000010
【図９】
2008155858.tif 000011
【図１０】
2008155858.tif 000012
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
プレゼンスを送信する情報処理端末であって、
当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、
前記第１のプレゼンスと、前記変換テーブル割り当て手段により前記送信先の情報処理端末に関する情報が割り当てられた前記変換テーブルに関する情報と、を送信する送信手段と、
を備える情報処理端末。
【請求項２】
プレゼンスを受信する情報処理端末であって、
送信元の情報処理端末のステータスを表す第１のプレゼンスと、前記第１のプレゼンスを第２のプレゼンスに変換するための変換テーブルに関する情報と、を受信する受信手段と、
前記変換テーブルに関する情報に基づいて、前記第１のプレゼンスを前記第２のプレゼンスに変換するプレゼンス変換手段と、
前記第２のプレゼンスを出力する出力手段と、
を備える情報処理端末。
【請求項３】
プレゼンスを送受信する情報処理端末であって、
当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、
前記第１のプレゼンスと、前記変換テーブル割り当て手段により前記送信先の情報処理端末に関する情報が割り当てられた前記変換テーブルに関する情報と、を送信する送信手段と、
前記第１のプレゼンスと、前記変換テーブルに関する情報と、を受信する受信手段と、  前記変換テーブルに関する情報に基づいて、前記第１のプレゼンスを前記第２のプレゼンスに変換するプレゼンス変換手段と、
前記第２のプレゼンスを出力する出力手段と、
を備える情報処理端末。
【請求項４】
請求項１または３記載の情報処理端末であって、
前記変換テーブルは、プレゼンスの種別毎に設定された、前記第１のプレゼンスを前記第２のプレゼンスに変換するための変換要素テーブルによって構成される、
情報処理端末。
【請求項５】
請求項１または３記載の情報処理端末であって、
前記変換テーブルは、時刻に対応して設定された、前記第１のプレゼンスを前記第２のプレゼンスに変換するための変換要素テーブルによって構成される、
情報処理端末。
【請求項６】
請求項２または３記載の情報処理端末であって、
前記変換テーブルは、プレゼンスの種別毎に設定された、前記第１のプレゼンスを前記第２のプレゼンスに変換するための変換要素テーブルによって構成され、
前記プレゼンス変換手段は、当該情報処理端末のステータスを表す第３のプレゼンスの種別に対応する前記変換要素テーブルに基づいて、前記第１のプレゼンスを前記第２のプレゼンスに変換する、
情報処理端末。
【請求項７】
情報処理端末との間でプレゼンスを送受信するサーバであって、
第１の情報処理端末のステータスを表す第１のプレゼンスと、第２の情報処理端末に関する情報が割り当てられた前記変換テーブルに関する情報と、を受信する受信手段と、
前記変換テーブルに基づいて、前記第１のプレゼンスを前記第２のプレゼンスに変換するプレゼンス変換手段と、
前記プレゼンス変換手段により変換した前記第２のプレゼンスを、前記第２の情報処理端末に送信する送信手段と、
を備えるサーバ。
【請求項８】
請求項７記載のサーバであって、
前記変換テーブルは、プレゼンスの種別毎に設定された、前記第１のプレゼンスを前記第２のプレゼンスに変換するための変換要素テーブルによって構成され、
前記受信手段は、前記第２の情報処理端末のステータスを表す第３のプレゼンスを受信し、
前記プレゼンス変換手段は、前記受信手段により受信した前記第３のプレゼンスの種別に対応する前記変換要素テーブルに基づいて、前記第１のプレゼンスを前記第２のプレゼンスに変換する、
サーバ。
【請求項９】
請求項１または３記載の情報処理端末と、
前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、
を含んで構成されるプレゼンス配信システム。
【請求項１０】
請求項１記載の情報処理端末と、
請求項７記載のサーバと、
を含んで構成されるプレゼンス配信システム。
【請求項１１】
請求項７記載のサーバと、
前記第２のプレゼンスを受信する受信手段と、前記第２のプレゼンスを出力する出力手段と、を備える情報処理端末と、
を含んで構成されるプレゼンス配信システム。
【請求項１２】
前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、
請求項２または３記載の情報処理端末と、
を含んで構成されるプレゼンス配信システム。
【請求項１３】
請求項１記載の情報処理端末と、
請求項７記載のサーバと、
前記第２のプレゼンスを受信する受信手段と、前記第２のプレゼンスを出力する出力手段と、を備える情報処理端末と、
を含んで構成されるプレゼンス配信システム。
【請求項１４】
請求項１記載の情報処理端末と、
前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、
請求項２記載の情報処理端末と、
を含んで構成されるプレゼンス配信システム。
【手続補正２】
【補正対象書類名】明細書
【補正対象項目名】全文
【補正方法】変更
【補正の内容】
【発明の詳細な説明】
【技術分野】
【０００１】
本発明は、ＩＭＰＳ(インスタントメッセージ・アンド・プレゼンスサービス：Instant Message and Presence Service)を実施可能な、複数の情報処理端末（クライアント端末）とサーバとを構成要素として含み、複数の情報処理端末間で、サーバを経由してプレゼンスを送受信するプレゼンス配信システム、並びに、当該システムの構成要素としての情報処理端末及びサーバに関する。
【背景技術】
【０００２】
インターネットを利用したコミュニケーションツールとして、ＩＭＰＳ(インスタントメッセージ・アンド・プレゼンスサービス：Instant Message and Presence Service)システムが知られている（例えば、特許文献１参照）。
【０００３】
ここで、ＩＭ（インスタントメッセージ）サービスとは、送信側の端末から送信されたメッセージを、サーバを経由して相手先の端末へリアルタイムで中継転送するシステムである。また、ＰＳ（プレゼンスサービス）とは、通信ネットワークを利用するユーザの状態（ステータス）を示す「プレゼンス」をグループメンバー間で共有し、これによって、そのユーザの現時点での状態に即した、「今だけの、ここだけの、そして自分だけのコミュニケーション」を実現するコミュニケーションサービスである。
【０００４】
プレゼンスは、例えば、送信者の名前や年齢等の情報、ユーザが使用している通信装置の種類（モバイル機器／固定機器等）を示す情報、オンラインステータス（オンライン／オフライン）、ステータステキスト（フリーテキストで記述されるユーザの現在の状況を示す情報：例えば、会議中、離席中など）、ならびに、ユーザの現在の位置情報（例えば、住所、緯度経度等）などの情報を含む。
【０００５】
プレゼンスを配信する従来の態様としては、予めグループを設定し、そのグループを構成するメンバには、共通のプレゼンスを自動的に（無条件で）送信する態様と、グループを設けず個別にプレゼンスを送信する態様と、がある。前者の態様の場合、ユーザがプレゼンスの送信を承認したグループのメンバには、ユーザのある時点の状態（ステータス）を示すプレゼンスが一律に送信される。また、後者の態様の場合、ユーザは、他のユーザに応じて、通知するプレゼンスの内容を調整（制限）することができる。
【０００６】
なお、「ＩＭ（インスタントメッセージ）サービス」と「ＰＳ（プレゼンスサービス）」は、本来は、それぞれが独立したサービス概念と考えられているが、両サービスをまとめて、「インスタントメッセージサービス」、あるいは、「インスタントメッセージング」と呼ぶ場合があり、また、プレゼンスの共有を重視して「プレゼンスサービス」と呼ぶ場合も見受けられる。これらは、表現は異なるものの、実質的な内容に差はないものと考えられる。
【０００７】
ここで、本明細書では、サービス内容の正確な記述の観点から、ＩＭ（インスタントメッセージ）サービスと、ＰＳ（プレゼンスサービス）とを併記した、ＩＭＰＳ(インスタントメッセージ・アンド・プレゼンスサービス)という用語を使用する。但し、上記のとおり、即時的なメッセージの交換が可能であるということは、すなわち、即時的なプレゼンスの交換、共有が可能であることを意味すると考えられるため、サービスの名称に拘泥する必要はない。
【０００８】
なお、ＩＭＰＳに使用されるプロトコル等は、ＯＭＡ（オープン・モバイル・アライアンス：移動体通信関連企業が集まって設立された、規格の標準化等を指向する業界団体）の標準仕様書に準拠している。
【先行技術文献】
【特許文献】
【０００９】
【特許文献１】特開２００３−２７１５３１号公報
【発明の概要】
【発明が解決しようとする課題】
【００１０】
上記のとおり、ＩＭＰＳサービスでは、予めグループを設定し、ユーザがプレゼンスの送信を承認したグループのメンバには、ユーザのその時点の状態（ステータス）を示すプレゼンスをリアルタイムで一律に送信するサービス態様がある。プレゼンスの内容は、ユーザがそのグループの特性等を考慮して、ある程度自由に決めることができる。但し、更新されたプレゼンスがサーバに一旦登録されると、どのメンバにも、その登録されたプレゼンスが一律に通知される。
【００１１】
この態様では、相手によっては不要な内容、または、相手に知らせたくない内容が、その相手に通知されてしまう場合が生じる。例えば、メンバＡ、Ｂに「誕生日」を通知する場合、メンバＡ、Ｂに共通の内容のプレゼンスが通知されるため、「ＸＸＸＸ年ＹＹ月ＺＺ日」まで知られても良いメンバＡに合せてプレゼンスを設定してしまうと、「ＸＸＸＸ年」を知られたくないＢさんにまで「ＸＸＸＸ年ＹＹ月ＺＺ日」を知られてしまうことになる。すなわち、プレゼンスの内容を調整して通知相手に最適な通知内容を通知する手法には限度があり、通知相手に応じた通知内容を詳細に設定するといった柔軟なプレゼンス内容の設定ができず、この点で、ＩＭＰＳは、まだまだ不充分である。
【００１２】
また、近年、セキュリティの重要さが高まっているため、不用意な情報の流出を避ける必要があり、この点でも、同じ内容のプレゼンスが、多くのメンバに一律に送信されてしまうサービス形態は改善の余地がある。
【００１３】
一方、グループを設けず個別にプレゼンスを送信する態様では、許容範囲のプレゼンス内容のみを他のユーザのそれぞれに配信することができるが、そのプレゼンス内容を他のユーザ毎に個別に、プレゼンスを配信する度に設定しなければならない。このため、他のユーザの数が多くなるほど、プレゼンス内容を他のユーザ毎に管理する手間が大きくなる。
【００１４】
本発明は、上記事情に鑑みてなされたもので、プレゼンスの通知によって複数のメンバに何らかの情報を伝える際に、一律に同じ内容を伝えるのではなく、メンバに応じて、伝える内容に差異を設けることを可能とし、ユーザの利便性を向上させ、ＩＭＰＳシステムがもつ潜在的な能力を十分に活かして、より多様なプレゼンスサービスを可能とすることを目的とする。
【課題を解決するための手段】
【００１５】
本発明の情報処理端末は、プレゼンスを送信する情報処理端末であって、当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、前記第１のプレゼンスと、前記変換テーブル割り当て手段により前記送信先の情報処理端末に関する情報が割り当てられた前記変換テーブルに関する情報と、を送信する送信手段と、を備えるものである。
【００１６】
本発明の情報処理端末は、プレゼンスを受信する情報処理端末であって、送信元の情報処理端末のステータスを表す第１のプレゼンスと、前記第１のプレゼンスを第２のプレゼンスに変換するための変換テーブルに関する情報と、を受信する受信手段と、前記変換テーブルに関する情報に基づいて、前記第１のプレゼンスを前記第２のプレゼンスに変換するプレゼンス変換手段と、前記第２のプレゼンスを出力する出力手段と、を備えるものである。
【００１７】
本発明の情報処理端末は、プレゼンスを送受信する情報処理端末であって、当該情報処理端末のステータスを表す第１のプレゼンスを第２のプレゼンスに変換するための変換テーブルに、前記変換テーブルを送信すべき送信先の情報処理端末を割り当てる変換テーブル割り当て手段と、前記第１のプレゼンスと、前記変換テーブル割り当て手段により前記送信先の情報処理端末に関する情報が割り当てられた前記変換テーブルに関する情報と、を送信する送信手段と、前記第１のプレゼンスと、前記変換テーブルに関する情報と、を受信する受信手段と、前記変換テーブルに関する情報に基づいて、前記第１のプレゼンスを前記第２のプレゼンスに変換するプレゼンス変換手段と、前記第２のプレゼンスを出力する出力手段と、を備えるものである。
【００１８】
本発明のサーバは、情報処理端末との間でプレゼンスを送受信するサーバであって、第１の情報処理端末のステータスを表す第１のプレゼンスと、第２の情報処理端末に関する情報が割り当てられた前記変換テーブルに関する情報と、を受信する受信手段と、前記変換テーブルに基づいて、前記第１のプレゼンスを前記第２のプレゼンスに変換するプレゼンス変換手段と、前記プレゼンス変換手段により変換した前記第２のプレゼンスを、前記第２の情報処理端末に送信する送信手段と、を備えるものである。
【００１９】
この構成により、プレゼンスの通知によって複数のメンバに何らかの情報を伝える際に、一律に同じ内容を伝えるのではなく、メンバに応じて、伝える内容に差異を設けることができる。
【００２０】
また、本発明の情報処理端末は、前記変換テーブルが、プレゼンスの種別毎に設定された、前記第１のプレゼンスを前記第２のプレゼンスに変換するための変換要素テーブルによって構成される、ものを含む。
【００２１】
また、本発明の情報処理端末は、前記変換テーブルが、時刻に対応して設定された、前記第１のプレゼンスを前記第２のプレゼンスに変換するための変換要素テーブルによって構成される、ものを含む。
【００２２】
また、本発明の情報処理端末は、前記変換テーブルが、プレゼンスの種別毎に設定された、前記第１のプレゼンスを前記第２のプレゼンスに変換するための変換要素テーブルによって構成され、前記プレゼンス変換手段が、当該情報処理端末のステータスを表す第３のプレゼンスの種別に対応する前記変換要素テーブルに基づいて、前記第１のプレゼンスを前記第２のプレゼンスに変換する、ものを含む。
【００２３】
また、本発明のサーバは、前記変換テーブルが、プレゼンスの種別毎に設定された、前記第１のプレゼンスを前記第２のプレゼンスに変換するための変換要素テーブルによって構成され、前記受信手段が、前記第２の情報処理端末のステータスを表す第３のプレゼンスを受信し、前記プレゼンス変換手段が、前記受信手段により受信した前記第３のプレゼンスの種別に対応する前記変換要素テーブルに基づいて、前記第１のプレゼンスを前記第２のプレゼンスに変換する、ものを含む。
【００２４】
この構成により、プレゼンスの送信元となる情報処理端末は、プレゼンスの送信先となる他の情報処理端末に、より細かな内容のプレゼンスを通知することができる。
【００２５】
本発明のプレゼンス配信システムは、プレゼンスを送信する本発明の情報処理端末と、前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、を含んで構成される。
【００２６】
本発明のプレゼンス配信システムは、プレゼンスを送信する本発明の情報処理端末と、本発明のサーバと、を含んで構成される。
【００２７】
本発明のプレゼンス配信システムは、本発明のサーバと、前記第２のプレゼンスを受信する受信手段と、前記第２のプレゼンスを出力する出力手段と、を備える情報処理端末と、を含んで構成される。
【００２８】
本発明のプレゼンス配信システムは、前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、プレゼンスを受信する本発明の情報処理端末と、を含んで構成される。
【００２９】
本発明のプレゼンス配信システムは、プレゼンスを送信する本発明の情報処理端末と、本発明のサーバと、前記第２のプレゼンスを受信する受信手段と、前記第２のプレゼンスを出力する出力手段と、を備える情報処理端末と、を含んで構成される。
【００３０】
本発明のプレゼンス配信システムは、プレゼンスを送信する本発明の情報処理端末と、前記第１のプレゼンスと、前記変換テーブルに関する情報と、を受信する受信手段と、前記受信手段により受信した、前記第１のプレゼンスと、前記変換テーブルに割り当てられた前記送信先の情報処理端末に当該変換テーブルに関する情報を送信する送信手段と、を備えるサーバと、プレゼンスを受信する本発明の情報処理端末と、を含んで構成される。
【発明の効果】
【００３１】
本発明により、プレゼンスの通知によって複数のメンバに何らかの情報を伝える際に、一律に同じ内容を伝えるのではなく、メンバに応じて、伝える内容に差異を設けることが可能となり、ユーザの利便性が向上し、また、より多様なプレゼンスサービスが実現する。
【００３２】
すなわち、プレゼンスの送信先のメンバとの親しさの程度（例えば、顔見知り／非常に親しい）やカテゴリー（個人的な友人／会社の同僚）などに応じて、提供するプレゼンスの内容に差異を設けることができる。この結果、即時性をもつコミュニケーションツールとしてのＩＭＰＳ（インスタントメッセージ・アンド・プレゼンスサービス）におけるユーザの利便性の向上、また多様な活用を促進することができる。
【図面の簡単な説明】
【００３３】
【図１】本発明の実施の形態のプレゼンス配信システムの特徴を説明するための図
【図２】本発明の実施の形態のプレゼンス配信システムの特徴を説明するための図
【図３】本発明の第１実施形態のプレゼンス配信システムにおける、情報処理端末及びサーバの機能ブロック図
【図４】本発明の第１実施形態のプレゼンス配信システムによる通信シーケンス
【図５】本発明の第２実施形態のプレゼンス配信システムにおける、情報処理端末及びサーバの機能ブロック図
【図６】本発明の第２実施形態のプレゼンス配信システムによる通信シーケンス
【図７】本発明の第３実施形態のプレゼンス配信システムにおける変換テーブルの例
【図８】本発明の第１実施形態のプレゼンス配信システムによる通信シーケンス
【図９】本発明の第２実施形態のプレゼンス配信システムによる通信シーケンス
【図１０】本発明の第３実施形態のプレゼンス配信システムにおける変換テーブルのマトリックス
【発明を実施するための形態】
【００３４】
以下、本発明の実施の形態のプレゼンス配信システムについて詳細に説明する。まず、図１に示す、本発明の実施の形態のプレゼンス配信システムの特徴を説明するための図を参照して、本発明の実施の形態のプレゼンス配信システムによるプレゼンスの配信処理の概要を説明する。
【００３５】
図１に示すように、本発明の実施の形態のプレゼンス配信システムは、クライアント端末としての情報処理端末１ａ、１ｂ、１ｃと、サーバ２と、をインターネット等の通信回線（ＩＮ）を介して接続して構成される。情報処理端末１ａ、１ｂ、１ｃは、例えば、ボイスオーバーＩＰ機能（音声をパケット化してインターネットを介して通信する機能）を備えた携帯電話である。また、サーバ２は、例えば、携帯電話による通信を実現するために通信事業者が配備するサーバである。
【００３６】
図１に示すプレゼンス配信システムでは、ユーザＡによって利用される情報処理端末１ａが、サーバ２を介して、ユーザＢによって利用される情報処理端末１ｂ及びユーザＣによって利用される情報処理端末１ｃそれぞれにプレゼンスを送信する場合の特徴を示している。まず、情報処理端末１ａの利用者であるユーザＡは、プレゼンスを送信したいユーザＢ及びユーザＣそれぞれに、情報処理端末１ａのステータス種別に対応する変換テーブルを作成する。情報処理端末１ａによって判定される、ユーザＡの状態の候補となるステータス種別には、例えば図１に示すように、「１．自宅」、「２．移動中（電話可）」、「３．移動中（電話不可）」、「４．外出中（電話可）」、「５．外出中（電話不可）」、「６．オンライン」などがある。情報処理端末１ａは、これらのステータス種別のうちのいずれか一つのステータスを示すプレゼンス（以後、後述するプレゼンス変換処理の基となるプレゼンスのことを「基本プレゼンス」と称する。）をサーバ２に送信することになる。
【００３７】
また、変換テーブルは、上記ステータス種別を別のステータス種別に変換する対応関係を情報として保持している。図１では、変換テーブルＢは、ユーザＢによって利用される情報処理端末１ｂに割り当てるべき変換テーブルであり、上記ステータス種別「１．自宅」、「２．移動中（電話可）」、「３．移動中（電話不可）」、「４．外出中（電話可）」、「５．外出中（電話不可）」、「６．オンライン」がそれぞれ、別のステータス種別「１．電話可」、「２．電話可」、「３．電話不可」、「４．電話可」、「５．電話不可」、「６．電話不可」に対応する。同様に、変換テーブルＣは、ユーザＣによって利用される情報処理端末１ｃに割り当てるべき変換テーブルであり、上記ステータス種別「１．自宅」、「２．移動中（電話可）」、「３．移動中（電話不可）」、「４．外出中（電話可）」、「５．外出中（電話不可）」、「６．オンライン」がそれぞれ、別のステータス種別「１．オンライン」、「２．オフライン」、「３．オフライン」、「４．オフライン」、「５．オフライン」、「６．オフライン」に対応する。なお、変換テーブルそれぞれには、情報処理端末固有の識別情報が付加されており、この識別情報によって、情報処理端末１ｂに変換テーブルＢを、情報処理端末１ｃに変換テーブルＣを、それぞれ割り当てていることを情報処理端末１ａおよびサーバ２は識別することができる。
【００３８】
情報処理端末１ａは、作成した変換テーブルＢ及び変換テーブルをサーバに送信する（図１における（１）の工程）。変換テーブルＢ及び変換テーブルＣを受信したサーバ２は、これらの変換テーブルＢ及び変換テーブルＣをサーバに備わる記憶装置に記憶しておく（図１における（２）の工程）。
【００３９】
その後、情報処理端末１ａは、ユーザＡの状態を判定しステータス種別を特定すると、そのステータス種別を示す基本プレゼンスをサーバに送信する。図１では、情報処理端末１ａは、ユーザＡが自宅にいるものと判定し、ステータス種別「１．自宅」を示す基本プレゼンスをサーバに送信している（図１における（３）の工程）。基本プレゼンスを受信したサーバは、予め記憶しておいた変換テーブルＢ及び変換テーブルＣを参照して、変換テーブルＢ及び変換テーブルＣ毎に、その基本プレゼンスが示すステータス種別に対応する別のステータス種別を特定する（プレゼンス変換処理）。図１では、サーバ２は、変換テーブルＢを参照して別のステータス種別「１．電話可」を特定し、変換テーブルＣを参照して別のステータス種別「１．オンライン」を特定している。サーバ２は、変換テーブルＢ及び変換テーブルＣ毎に特定した別のステータスを示すプレゼンス（以後、プレゼンス変換処理を施した後のプレゼンスのことを「変換プレゼンス」と称する。）を、変換テーブルＢ及び変換テーブルＣに付加された情報処理端末固有の識別情報を基に、情報処理端末１ｂ及び情報処理端末１ｃに送信する。図１では、サーバ２は、別のステータス「１．電話可」を示す変換プレゼンスＢを情報処理端末１ｂに、別のステータス「１．オンライン」を示す変換プレゼンスＣを情報処理端末１ｃに、それぞれ送信している。変換プレゼンスを受信した情報処理端末１ｂまたは情報処理端末１ｃは、変換プレゼンスが示すステータス種別を出力し、ユーザＢまたはユーザＣにユーザＡのステータスを通知することになる。
【００４０】
なお、プレゼンス配信システムには、情報処理端末の位置情報をステータスとして捉え、その位置情報を含むプレゼンスを当該情報処理端末が送信するものがある。上記ステータス種別として「７．位置情報表示許可」がある場合、別のステータス種別「７．広域地図表示許可」または「７．詳細地図表示許可」に対応させるようにして、他の情報処理端末毎に通知する位置情報の詳細さを調整してもよい。
【００４１】
本発明の実施の形態のプレゼンス配信システムにより、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。
【００４２】
また、送信先のユーザに応じたステータス種別を送信先のユーザ毎に設定し、送信する従来の構成では、送信元のユーザの情報処理端末は、送信先のユーザ毎に個別にプレゼンスを送信しなければならず、このため、送信先の他ユーザの数だけプレゼンスを送信する処理を繰り返さなければならなかった。本発明の実施の形態のプレゼンス配信システムにより、送信元のユーザの情報処理端末は、一度基本プレゼンスを送信する処理を行えば、送信先の他ユーザに変換プレゼンスが送信されるため、プレゼンスを送信する処理に伴う情報処理端末の負担を軽減することができると共に、プレゼンスを情報処理端末からサーバに送信する際の通信データ量が減ることによってネットワークにかかる負担を軽減することができる。
【００４３】
また、本発明の実施の形態のプレゼンス配信システムでは、サーバによってプレゼンス変換処理が施された変換プレゼンスを送信先の情報処理端末に送信するため、送信先の情報処理端末に新たに機能を追加する必要がなく、したがって、従来の情報処理端末を構成に含むプレゼンス配信システムであっても構わない。
【００４４】
ところで、上述した本発明の実施の形態のプレゼンス配信システムは、サーバ２がプレゼンス変換処理を行うものであった。別の形態として、プレゼンス配信システムにおける送信先の情報処理端末（図１における情報処理端末１ｂ、１ｃ）がプレゼンス変換処理を行う場合も考えられる。図２に示す、本発明の実施の形態のプレゼンス配信システムの特徴を説明するための図を参照して、本発明の実施の形態のプレゼンス配信システムによるプレゼンスの配信処理の概要を説明する。
【００４５】
図２に示すプレゼンス配信システムでは、ユーザＡによって利用される情報処理端末１ａが、サーバ２を介して、ユーザＢによって利用される情報処理端末１ｂ及びユーザＣによって利用される情報処理端末１ｃそれぞれにプレゼンスを送信する場合の特徴を示している。まず、情報処理端末１ａの利用者であるユーザＡは、プレゼンスを送信したいユーザＢ及びユーザＣそれぞれに、情報処理端末１ａのステータス種別に対応する変換テーブルを作成する。変換テーブルそれぞれには、情報処理端末固有の識別情報が付加されており、この識別情報によって、情報処理端末１ｂに変換テーブルＢを、情報処理端末１ｃに変換テーブルＣを、それぞれ割り当てていることを情報処理端末１ａおよびサーバ２は識別することができる。
【００４６】
情報処理端末１ａは、作成した変換テーブルＢ及び変換テーブルをサーバに送信する（図２における（１）の工程）。変換テーブルＢ及び変換テーブルＣを受信したサーバ２は、変換テーブルＢ及び変換テーブルＣに付加された情報処理端末固有の識別情報を基に、変換テーブルＢを情報処理端末１ｂに、変換テーブルＣを情報処理端末１ｃにそれぞれ送信する。変換テーブルを受信した情報処理端末１ｂ及び情報処理端末１ｃは、情報処理端末に備わる記憶装置に変換テーブルを記憶しておく（図２における（２）の工程）。
【００４７】
その後、情報処理端末１ａは、ユーザＡの状態を判定しステータス種別を特定すると、そのステータス種別を示す基本プレゼンスをサーバに送信する（図２における（３）の工程）。基本プレゼンスを受信したサーバは、受信した基本プレゼンスを情報処理端末１ｂ及び情報処理端末１ｃに送信する（図２における（４）の工程）。基本プレゼンスを受信した情報処理端末１ｂまたは情報処理端末１ｃは、予め記憶しておいた変換テーブルＢまたは変換テーブルＣを参照して、その基本プレゼンスが示すステータス種別に対応する別のステータス種別を特定する（プレゼンス変換処理）。図２では、情報処理端末１ｂは、変換テーブルＢを参照して別のステータス種別「１．電話可」を特定し、また、情報処理端末１ｃは、変換テーブルＣを参照して別のステータス種別「１．オンライン」を特定している。情報処理端末１ｂまたは情報処理端末１ｃは、変換テーブルＢまたは変換テーブルＣ毎に特定した変換プレゼンスが示すステータス種別を出力し、ユーザＢまたはユーザＣにユーザＡのステータスを通知することになる。
【００４８】
上述のように、プレゼンス配信システムにおける送信先の情報処理端末（図１における情報処理端末１ｂ、１ｃ）がプレゼンス変換処理を行う形態であっても、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。
【００４９】
また、本発明の実施の形態のプレゼンス配信システムにより、送信元のユーザの情報処理端末は、一度基本プレゼンスを送信する処理を行えば、送信先の他ユーザの情報処理端末が変換プレゼンスに変換するため、プレゼンスを送信する処理に伴う情報処理端末の負担を軽減することができると共に、プレゼンスを情報処理端末からサーバに送信する際の通信データ量が減ることによってネットワークにかかる負担を軽減することができる。
【００５０】
以下、サーバがプレゼンス変換処理を行う形態を第１実施形態として、送信先の情報処理端末がプレゼンス変換処理を行う形態を第２実施形態として、それぞれ詳細に説明する。
【００５１】
（第１実施形態）
本発明の第１実施形態のプレゼンス配信システムの詳細について説明する。本発明の第１実施形態のプレゼンス配信システムは、上述したプレゼンス変換処理をサーバが行うものである。図３に、本発明の第１実施形態のプレゼンス配信システムにおける、情報処理端末及びサーバの機能ブロック図を示す。
【００５２】
本発明の第１実施形態のプレゼンス配信システムは、複数の情報処理端末１ａ、１ｂ、１ｃ、１ｄと、サーバ２と、を含んで構成され、複数の情報処理端末１ａ、１ｂ、１ｃ、１ｄとサーバ２とが携帯電話網などのネットワークＩＮを介して接続されている。情報処理端末１ａは、無線通信部１１、位置決定部１２、時刻取得部１３、記憶部１４、プレゼンス決定部１５、出力部１６、入力部１７、を含んで構成される。情報処理端末１ｂ、１ｃ、１ｄも、情報処理端末１ａと同様の構成である。サーバ２は、ネットワーク通信部２１、記憶部２２、を含んで構成される。
【００５３】
情報処理端末１ａにおいて、無線通信部１１は、サーバ２との間で無線通信を行う機能を有し、携帯端末装置１ａとサーバ２との間で取り決められた所定の通信方式及び通信プロトコルに則って、アンテナから入力した電気信号を復調し、さらに復号化を施してデジタルデータを取得する、または、デジタルデータに暗号化を施し、さらに変調した電気信号をアンテナに出力する。所定の通信方式としては、ＰＤＣ（Personal Digital Cellular）方式、ＧＳＭ（Global System for Mobile Communication）方式、ＩＭＴ（International Mobile Telecommunications）−２０００で標準化された方式、などが考えられる。また、プレゼンス配信を実現する通信プロトコルは、ＯＭＡ（オープン・モバイル・アライアンス）の標準仕様書に準拠している。
【００５４】
位置決定部１２は、当該情報処理端末１ａが位置する位置座標を算出する機能を有し、例えば、基地局からの電波の到達時間に基づいて当該情報処理端末１ａの位置を測定する、または、ＧＰＳ機能を利用して当該情報処理端末１ａの位置を測定する。
【００５５】
時刻取得部１３は、時刻を計時するカウンタ（図示せず）から現在時刻を取得する。
【００５６】
記憶部１４は、当該情報処理端末１ａのステータス種別Ａ、情報処理端末１ｂ、１ｃ、１ｄに割り当てるべき変換テーブルＢ、Ｃ、Ｄ、及び、情報処理端末１ｂ、１ｃ、１ｄからサーバ２を介して受信したプレゼンス、を記憶する（ステータス種別及び変換テーブルの例は、図１を参照。）。情報処理端末１ａは、記憶部１４に記憶されたステータス種別Ａ、及び、変換テーブルＢ、Ｃ、Ｄを無線通信部１１によってサーバ２に送信し、それらのデータをサーバ２に登録しておく。
【００５７】
プレゼンス決定部１５は、位置決定部１２から出力される位置情報、時刻取得部から出力される時刻情報、入力部１７から出力される入力操作情報を基に、ユーザＡの状態を判定し、そのユーザの状態に対応するステータス種別Ａを特定し、記憶部１４に出力する。また、プレゼンス決定部１５は、入力部１７から出力される入力操作情報を基に、変換テーブルを生成し、その変換テーブルを記憶部１４に出力する。また、プレゼンス決定部１５は、無線通信部１１から出力される他の情報処理端末１ｂ、１ｃ、１ｄのプレゼンスを記憶部１４に出力する。
【００５８】
出力部１６は、スピーカ１６１、表示部１６２などによって構成される。出力部１６は、変換テーブルを生成する際にその生成を促す画面を表示部１６２によって表示したり、他の情報処理端末１ｂ、１ｃ、１ｄのプレゼンスをスピーカ１６１、表示部１６２によって出力する。
【００５９】
入力部１７は、操作ボタン１７１、マイク１７２などによって構成される。入力部１７は、変換テーブルを生成する際に、各ステータス種別Ａに対応する別のステータスを指定する操作を受け付け、プレゼンス決定部１５に出力する。
【００６０】
サーバ２において、ネットワーク通信部２１は、クライアント端末としての情報処理端末１との間で通信を行う機能を有し、携帯端末装置１とサーバ２との間で取り決められた所定の通信方式及び通信プロトコルに則って、通信を実施する。
【００６１】
記憶部２２は、情報処理端末１ａ、１ｂ、１ｃ、１ｄ毎に受信した、ステータス種別及び変換テーブルを記憶する。記憶部２２は、例えば、情報処理端末１ａから受信した、情報処理端末１ａのステータス種別Ａ、及び、当該ステータス種別Ａに対応する、情報処理端末１ｂ、１ｃ、１ｄに割り当てるべき変換テーブルＢ、Ｃ、Ｄを記憶する（図３では、ステータス種別Ａ、及び、変換テーブルＢ、Ｃ、Ｄの集合をテーブルＡと記載している。）。同様に、サーバ２が情報処理端末１ｂから情報処理端末１ｂのステータス種別Ｂ、及び、当該ステータス種別Ｂに対応する、情報処理端末１ａ、１ｃ、１ｄに割り当てるべき変換テーブルＡ、Ｃ、Ｄを受信した場合、記憶部２２は、情報処理端末１ｂのステータス種別Ｂ、及び、変換テーブルＡ、Ｃ、Ｄを記憶する（図３では、ステータス種別Ｂ、及び、変換テーブルＡ、Ｃ、Ｄの集合をテーブルＢと記載している。同様に、テーブルＣは、情報処理端末１ｃから受信したステータス種別Ｃ、及び変換テーブルＡ、Ｂ、Ｄの集合であり、テーブルＤは、情報処理端末１ｄから受信したステータス種別Ｄ、及び変換テーブルＡ、Ｂ、Ｃの集合である）。
【００６２】
続いて、本発明の第１実施形態のプレゼンス配信システムによる処理の流れを、図４に示す、本発明の第１実施形態のプレゼンス配信システムによる通信シーケンスを参照して、説明する。
【００６３】
情報処理端末１ａは、入力部１７によって受け付けた操作を基に、当該情報処理端末１ａのステータス種別Ａ毎に別のステータスを対応付け、他の情報処理端末１ｂ、１ｃ、１ｄに割り当てるべき変換テーブルＢ、Ｃ、Ｄを生成し（処理（１））、記憶部１４に記憶する。情報処理端末１ａは、記憶した変換テーブルＢ、Ｃ、Ｄに関するデータと、各変換テーブルＢ、Ｃ、Ｄを送信すべき情報処理端末１ｂ、１ｃ、１ｄを識別する通信識別子と、を対応付け、それらの対応付けたデータをＰＵＢＬＩＳＨメッセージのボディ部に付与し、そのＰＵＢＬＩＳＨメッセージをサーバ２に送信する（処理（２））。
【００６４】
ＰＵＢＬＩＳＨメッセージを受信したサーバ２は、ＰＵＢＬＩＳＨメッセージを受信したことを通知する２００ＯＫメッセージを情報処理端末１ａに送信する（処理（３））。さらに、サーバ２は、ＰＵＢＬＩＳＨメッセージに付与されている変換テーブルＢ、Ｃ、Ｄに関するデータと情報処理端末１ｂ、１ｃ、１ｄを識別する通信識別子を抽出し、変換テーブルと通信識別子を対応付けて記憶部２２に記憶する（処理（４））。
【００６５】
その後、情報処理端末１ａは、ユーザＡの状態を判定し、そのユーザの状態に対応するステータスを特定すると（処理（５））、そのステータスをボディ部に付与したＰＵＢＬＩＳＨメッセージをサーバに送信する（処理（６））。
【００６６】
ＰＵＢＬＩＳＨメッセージを受信したサーバ２は、ＰＵＢＬＩＳＨメッセージを受信したことを通知する２００ＯＫメッセージを情報処理端末１ａに送信する（処理（７））。さらに、サーバ２は、ＰＵＢＬＩＳＨメッセージに付与されているステータスを抽出し、記憶部２２に記憶しておいた変換テーブルＢ、Ｃ、Ｄ毎に、抽出したステータスの種別に対応する別のステータスを特定する（処理（８））。さらに、サーバ２は、特定した別のステータスをＮＯＴＩＦＹメッセージに付与し、その別のステータスを特定する上で参照した変換テーブルに対応する通信識別子宛にＮＯＴＩＦＹメッセージを送信する（処理（９））。
【００６７】
ＮＯＴＩＦＹメッセージを受信した情報処理端末１ｂ、１ｃ、１ｄは、ＮＯＴＩＦＹメッセージを受信したことを通知する２００ＯＫメッセージをサーバ２に送信する（処理（１０））。そして、情報処理端末１ｂ、１ｃ、１ｄは、ＮＯＴＩＦＹメッセージに付与されている別のステータスを抽出し、情報処理端末１ａのステータスを示す変換プレゼンスとして記憶部１４（他情報処理端末のプレゼンス）に記憶し、適宜出力する（処理（１１））。
【００６８】
以上、本発明の第１実施形態のプレゼンス配信システムによれば、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。
【００６９】
また、送信先のユーザに応じたステータス種別を送信先のユーザ毎に設定し、送信する従来の構成では、送信元のユーザの情報処理端末は、送信先のユーザ毎に個別にプレゼンスを送信しなければならず、このため、送信先の他ユーザの数だけプレゼンスを送信する処理を繰り返さなければならなかった。本発明の実施の形態のプレゼンス配信システムにより、送信元のユーザの情報処理端末は、一度基本プレゼンスを送信する処理を行えば、送信先の他ユーザに変換プレゼンスが送信されるため、プレゼンスを送信する処理に伴う情報処理端末の負担を軽減することができると共に、プレゼンスを情報処理端末からサーバに送信する際の通信データ量が減ることによってネットワークにかかる負担を軽減することができる。
【００７０】
また、本発明の実施の形態のプレゼンス配信システムでは、サーバによってプレゼンス変換処理が施された変換プレゼンスを送信先の情報処理端末に送信するため、送信先の情報処理端末に新たに機能を追加する必要がなく、したがって、従来の情報処理端末を構成に含むプレゼンス配信システムであっても構わない。
【００７１】
なお、本発明の第１実施形態のプレゼンス配信システムでは、処理（２）において、情報処理端末１ａが、変換テーブルＢ、Ｃ、Ｄに関するデータと、各変換テーブルＢ、Ｃ、Ｄを送信すべき情報処理端末１ｂ、１ｃ、１ｄを識別する通信識別子と、を対応付ける際、情報処理端末１ａのユーザＡが対応付ける入力操作を行う場合と、情報処理端末１ａが何らかのデータを基に自動で対応付ける場合とが想定される。ここでは、変換テーブルと通信識別子を自動で対応付ける構成例を説明する。
【００７２】
一つ目の構成例は、変換テーブルと通信識別子を自動で対応付けるためのデータとして、近年の携帯端末に搭載されているアドレス帳に利用されるデータを参照する構成である。アドレス帳の機能の中には、アドレス帳に登録されている登録者毎に属性を設定することができる機能がある。属性の最たる例としては、グループ属性が挙げられ、「家族」、「友人」、「仕事」等のグループ属性が特定の登録者に割り当てられている。携帯端末の利用者は、新密度に応じて登録者をグループ分けしていることが多いため、あるグループ属性が設定されたすべての登録者には共通のプレゼンスを知らせても構わないと考えられる。このため、情報処理端末１ａのユーザＡがグループ属性毎に変換テーブルを手動で設定し、その後、同グループ属性が設定されたすべての登録者に同変換テーブルを一律に割り当て、かつ、同登録者の通信識別子（登録者の一情報として、通信識別子が登録されている。）と対応付ければ、登録者毎に変換テーブルを手動で割り当てる場合と比べて、ユーザＡによる入力操作の手間を省くことができる。
【００７３】
二つ目の構成例は、変換テーブルと通信識別子を自動で対応付けるためのデータとして、音声通話の発着信履歴または電子メールの送受信履歴を参照する構成である。音声通話の発着信履歴には音声通話の通話相手、及び、通話を開始した時刻、終了した時刻などの時刻情報、電子メールの送受信履歴には電子メールの送信元または送信先、及び、電子メールを送信した時刻または受信した時刻などの時刻情報、がそれぞれ含まれている。これらの時刻情報と現在時刻との差分が小さいほど、携帯端末の利用者にとって新密度が高いとみなし、その差分に応じて音声通話の通話相手や電子メールの送信元または送信先に適切な変換テーブルを割り当て、かつ、その音声通話の通話相手や電子メールの送信元または送信先の通信識別子と対応付ければ、登録者毎に変換テーブルを手動で割り当てる場合と比べて、ユーザＡによる入力操作の手間を省くことができる。なお、ここでは、時刻情報と現在時刻との差分に応じて変換テーブルを割り当てる構成について述べたが、音声通話の回数や送受信回数に応じて変換テーブルを割り当てる構成であっても同様の効果を得ることができる。
【００７４】
（第２実施形態）
本発明の第２実施形態のプレゼンス配信システムの詳細について説明する。本発明の第２実施形態のプレゼンス配信システムは、プレゼンス変換処理を送信先の情報処理端末が行うものである。図５に、本発明の第２実施形態のプレゼンス配信システムにおける、情報処理端末及びサーバの機能ブロック図を示す。
【００７５】
本発明の第２実施形態のプレゼンス配信システムは、複数の情報処理端末１ａ、１ｂ、１ｃ、１ｄと、サーバ２と、を含んで構成され、複数の情報処理端末１ａ、１ｂ、１ｃ、１ｄとサーバ２とが携帯電話網などのネットワークＩＮを介して接続されている。情報処理端末１ａは、無線通信部１１、位置決定部１２、時刻取得部１３、プレゼンス決定部１５、出力部１６、入力部１７、記憶部５１、を含んで構成される。情報処理端末１ｂ、１ｃ、１ｄも、情報処理端末１ａと同様の構成である。サーバ２は、ネットワーク通信部２１、を含んで構成される。図３の機能ブロック図における各部と同一の参照符号を付与したものについては、第１実施形態で説明したとおりであるため、説明を省略する。
【００７６】
記憶部５１は、送信用変換テーブルと、受信済変換テーブルと、情報処理端末１ｂ、１ｃ、１ｄのプレゼンスと、を記憶する。送信用変換テーブルは、情報処理端末１ａのステータス種別Ａと、情報処理端末１ａが情報処理端末１ｂ、１ｃ、１ｄに送信する送信変換テーブルＢ、Ｃ、Ｄと、から構成される（ステータス種別Ａ及び変換テーブルＢ、Ｃ、Ｄの例は、図２の処理（１）に示すテーブルを参照。）。ステータス種別Ａと送信要求テーブルＢ、Ｃ、Ｄとは、情報処理端末１ａが他の情報処理端末１ｂ、１ｃ、１ｄに送信し、他の情報処理端末１ｂ、１ｃ、１ｄによるステータス種別Ａの変換のために用いられるデータである。また、受信済変換テーブルは、他の情報処理端末１ｂ、１ｃ、１ｄのステータス種別Ｂ、Ｃ、Ｄと、情報処理端末１ａが情報処理端末１ｂ、１ｃ、１ｄから受信した受信変換テーブルＢ、Ｃ、Ｄと、から構成される（ステータス種別Ａ及び変換テーブルＢ、Ｃ、Ｄの例は、図２の処理（２）を参照。）。ステータス種別Ｂ、Ｃ、Ｄと受信変換テーブルＢ、Ｃ、Ｄとは、情報処理端末１ａが他の情報処理端末１ｂ、１ｃ、１ｄから受信し、情報処理端末１ａによるステータス種別Ｂ、Ｃ、Ｄの変換のために用いられるデータである。
【００７７】
プレゼンス決定部５２は、位置決定部１２から出力される位置情報、時刻取得部から出力される時刻情報、入力部１７から出力される入力操作情報を基に、ユーザＡの状態を判定し、そのユーザの状態に対応するステータス種別Ａを特定し、記憶部５１に出力する。また、プレゼンス決定部１５は、入力部１７から出力される入力操作情報を基に、送信用変換テーブルの送信変換テーブルを生成し、その送信変換テーブルを記憶部５１に出力する。また、プレゼンス決定部１５は、無線通信部１１から出力される他の情報処理端末１ｂ、１ｃ、１ｄのステータス種別Ｂ、Ｃ、Ｄと、受信変換テーブルＢ、Ｃ、Ｄと、を記憶部１４に出力する。
【００７８】
続いて、本発明の第２実施形態のプレゼンス配信システムによる処理の流れを、図６に示す、本発明の第２実施形態のプレゼンス配信システムによる通信シーケンスを参照して、説明する。
【００７９】
情報処理端末１ａは、入力部１７によって受け付けた操作を基に、当該情報処理端末１ａのステータス種別Ａ毎に別のステータスを対応付け、他の情報処理端末１ｂ、１ｃ、１ｄに送信する送信変換テーブルＢ、Ｃ、Ｄを生成し（処理（１））、記憶部１４に記憶する。情報処理端末１ａは、記憶した送信変換テーブルＢ、Ｃ、Ｄに関するデータと、各送信変換テーブルＢ、Ｃ、Ｄを送信すべき情報処理端末１ｂ、１ｃ、１ｄを識別する通信識別子と、を対応付け、それらの対応付けたデータをＰＵＢＬＩＳＨメッセージのボディ部に付与し、そのＰＵＢＬＩＳＨメッセージをサーバ２に送信する（処理（２））。
【００８０】
ＰＵＢＬＩＳＨメッセージを受信したサーバ２は、ＰＵＢＬＩＳＨメッセージを受信したことを通知する２００ＯＫメッセージを情報処理端末１ａに送信する（処理（３））。さらに、サーバ２は、ＰＵＢＬＩＳＨメッセージに付与されている送信変換テーブルＢ、Ｃ、Ｄに関するデータと情報処理端末１ｂ、１ｃ、１ｄを識別する通信識別子を抽出し、送信変換テーブルＢ、Ｃ、Ｄそれぞれを受信変換テーブルＡとして生成する（処理（４））。サーバ２は、生成した受信変換テーブルＡをＮＯＴＩＦＹメッセージに付与し、送信変換テーブルＢ、Ｃ、Ｄに対応する通信識別子宛にそのＮＯＴＩＦＹメッセージに送信する（処理（５））。
【００８１】
ＮＯＴＩＦＹメッセージを受信した情報処理端末１ｂ、１ｃ、１ｄは、ＮＯＴＩＦＹメッセージを受信したことを通知する２００ＯＫメッセージをサーバ２に送信する（処理（６））。さらに、情報処理端末１ｂ、１ｃ、１ｄは、ＮＯＴＩＦＹメッセージに付与されている受信変換テーブルＡを記憶部２２に記憶する（処理（７））。
【００８２】
なお、図５では、送信変換テーブルＢ、Ｃ、Ｄは、情報処理端末１ａが情報処理端末１ｂ、１ｃ、１ｄそれぞれに宛てて送信したテーブルであるため、送信変換テーブルＸ（Ｘ＝Ｂ、Ｃ、Ｄ）の「Ｘ」には送信先の情報処理端末１ｘ（ｘ＝ｂ、ｃ、ｄ）の「ｘ」に対応させて記載し、一方、受信変換テーブルＡは、情報処理端末１ｂ、１ｃ、１ｄそれぞれが情報処理端末１ａから受信したテーブルであるため、受信変換テーブルＡの「Ａ」には送信元の情報処理端末１ａの「ａ」に対応させて記載している。情報処理端末１ｂ、１ｃ、１ｄのいずれかが、情報処理端末１ｂ、１ｃ、１ｄのステータス種別Ｂ、Ｃ、Ｄ及び送信変換テーブルＡを情報処理端末１ａ宛てに送信した場合、情報処理端末１ａは、受信変換テーブルＢ、Ｃ、Ｄを受信し、記憶することになる。
【００８３】
その後、情報処理端末１ａは、ユーザＡの状態を判定し、そのユーザの状態に対応するステータスを特定すると（処理（８））、そのステータスをボディ部に付与したＰＵＢＬＩＳＨメッセージをサーバに送信する（処理（９））。
【００８４】
ＰＵＢＬＩＳＨメッセージを受信したサーバ２は、ＰＵＢＬＩＳＨメッセージを受信したことを通知する２００ＯＫメッセージを情報処理端末１ａに送信する（処理（１０））。さらに、サーバ２は、ＰＵＢＬＩＳＨメッセージに付与されているステータスを抽出し、その抽出したステータスをＮＯＴＩＦＹメッセージに付与し、情報処理端末１ｂ、１ｃ、１ｄにＮＯＴＩＦＹメッセージを送信する（処理（１１））。
【００８５】
ＮＯＴＩＦＹメッセージを受信した情報処理端末１ｂ、１ｃ、１ｄは、ＮＯＴＩＦＹメッセージを受信したことを通知する２００ＯＫメッセージをサーバ２に送信する（処理（１１））。そして、情報処理端末１ｂ、１ｃ、１ｄは、ＮＯＴＩＦＹメッセージに付与されているステータスを抽出し、自端末の記憶部２２に記憶しておいた受信変換テーブルＡを参照して、抽出したステータスの種別に対応する別のステータスを特定し（処理（１３））、情報処理端末１ａのステータスを示す変換プレゼンスとして記憶部１４（他情報処理端末のプレゼンス）に記憶し、適宜出力する（処理（１４））。
【００８６】
以上、本発明の第２実施形態のプレゼンス配信システムによれば、プレゼンスの送信元のユーザは一度、プレゼンスの送信先のユーザ毎に変換テーブルを設定しておきさえすれば、その後、変換テーブルを設定しておいた送信先のユーザに送信元のユーザにとって最適なステータスを通知することができる。この結果、従来のようなプレゼンスを送信する度に送信先の他ユーザに応じたステータス種別を送信先の他ユーザ毎に設定する操作を行う必要がなくなるため、ユーザの利便性を向上させることができる。
【００８７】
また、本発明の第２実施形態のプレゼンス配信システムにより、送信元のユーザの情報処理端末は、一度基本プレゼンスを送信する処理を行えば、送信先の他ユーザの情報処理端末が変換プレゼンスに変換するため、プレゼンスを送信する処理に伴う情報処理端末の負担を軽減することができると共に、プレゼンスを情報処理端末からサーバに送信する際の通信データ量が減ることによってネットワークにかかる負担を軽減することができる。
【００８８】
なお、本発明の第２実施形態のプレゼンス配信システムでは、処理（２）において、情報処理端末１ａが、変換テーブルＢ、Ｃ、Ｄに関するデータと、各変換テーブルＢ、Ｃ、Ｄを送信すべき情報処理端末１ｂ、１ｃ、１ｄを識別する通信識別子と、を対応付ける際、情報処理端末１ａのユーザＡが対応付ける入力操作を行う場合と、情報処理端末１ａが何らかのデータを基に自動で対応付ける場合とが想定される。ここでは、変換テーブルと通信識別子を自動で対応付ける構成例を説明する。
【００８９】
一つ目の構成例は、変換テーブルと通信識別子を自動で対応付けるためのデータとして、近年の携帯端末に搭載されているアドレス帳に利用されるデータを参照する構成である。アドレス帳の機能の中には、アドレス帳に登録されている登録者毎に属性を設定することができる機能がある。属性の最たる例としては、グループ属性が挙げられ、「家族」、「友人」、「仕事」等のグループ属性が特定の登録者に割り当てられている。携帯端末の利用者は、新密度に応じて登録者をグループ分けしていることが多いため、あるグループ属性が設定されたすべての登録者には共通のプレゼンスを知らせても構わないと考えられる。このため、情報処理端末１ａのユーザＡがグループ属性毎に変換テーブルを手動で設定し、その後、同グループ属性が設定されたすべての登録者に同変換テーブルを一律に割り当て、かつ、同登録者の通信識別子（登録者の一情報として、通信識別子が登録されている。）と対応付ければ、登録者毎に変換テーブルを手動で割り当てる場合と比べて、ユーザＡによる入力操作の手間を省くことができる。
【００９０】
二つ目の構成例は、変換テーブルと通信識別子を自動で対応付けるためのデータとして、音声通話の発着信履歴または電子メールの送受信履歴を参照する構成である。音声通話の発着信履歴には音声通話の通話相手、及び、通話を開始した時刻、終了した時刻などの時刻情報、電子メールの送受信履歴には電子メールの送信元または送信先、及び、電子メールを送信した時刻または受信した時刻などの時刻情報、がそれぞれ含まれている。これらの時刻情報と現在時刻との差分が小さいほど、携帯端末の利用者にとって新密度が高いとみなし、その差分に応じて音声通話の通話相手や電子メールの送信元または送信先に適切な変換テーブルを割り当て、かつ、その音声通話の通話相手や電子メールの送信元または送信先の通信識別子と対応付ければ、登録者毎に変換テーブルを手動で割り当てる場合と比べて、ユーザＡによる入力操作の手間を省くことができる。なお、ここでは、時刻情報と現在時刻との差分に応じて変換テーブルを割り当てる構成について述べたが、音声通話の回数や送受信回数に応じて変換テーブルを割り当てる構成であっても同様の効果を得ることができる。
【００９１】
（第３実施形態）
本発明の第１実施形態及び第２実施形態のプレゼンス配信システムは、基本プレゼンスの送信元の情報処理端末のユーザが変換後の変換プレゼンスを設定するものであった。本発明の第３実施形態では、プレゼンスを配信する時刻や送信先の情報処理端末のステータスなどの情報を変換テーブルに反映させた一形態について説明する。なお、本発明の第３実施形態のプレゼンス配信システムの構成は、本発明の第１実施形態のプレゼンス配信システムにおける情報処理端末１ａの記憶部１４及びサーバ２の記憶部２２、または本発明の第２実施形態のプレゼンス配信システムにおける情報処理端末１ａの記憶部５１に記憶させる変換テーブルに関する情報が異なる点を除いて、本発明の第１実施形態または第２実施形態で説明したとおりであるため、説明を省略する。図７に、本発明の第３実施形態のプレゼンス配信システムにおける変換テーブルの例を示す。
【００９２】
図７（ａ）に示すように、情報処理端末１ａによって生成される変換テーブルＢまたは送信変換テーブルには、当該情報処理端末１ａのステータス種別Ａ毎に割り当てられる別のステータスが、時間帯「００：００−０４：００」、「０４：００−０８：００」、「０８：００−１２：００」…毎に、設定されている。なお、各時間帯における一連の別のステータスを変換要素テーブルと称することがある。
【００９３】
図７（ａ）に示す変換テーブルを用いた場合、第１実施形態におけるサーバ２は、ＰＵＢＬＩＳＨメッセージを受信すると、ＰＵＢＬＩＳＨメッセージに付与されているステータスを抽出し、記憶部２２に記憶しておいた変換テーブルＢ、Ｃ、Ｄ毎に、抽出したステータスの種別に対応する別のステータスを、ＰＵＢＬＩＳＨメッセージを受信した時刻を時間帯（「００：００−０４：００」、「０４：００−０８：００」、「０８：００−１２：００」のいずれか）に含む変換要素テーブルの中から特定する（処理（８））。
【００９４】
また、図７（ａ）に示す変換テーブルを用いた場合、第２実施形態における情報処理端末１ｂ、１ｃ、１ｄは、ＮＯＴＩＦＹメッセージに付与されているステータスを抽出し、自端末の記憶部２２に記憶しておいた受信変換テーブルＡを参照して、抽出したステータスの種別に対応する別のステータスの種別を、ＮＯＴＩＦＹメッセージを受信した時刻を時間帯に含む変換要素テーブルの中から特定する（処理（１３））。
【００９５】
この構成により、他の情報処理端末により細かな内容のプレゼンスを通知することができる。
【００９６】
また、本発明の第３実施形態のプレゼンス配信システムにおける変換テーブルの他例としては、次のものがある。すなわち、図７（ｂ）に示すように、情報処理端末１ａによって生成される変換テーブルＢまたは送信変換テーブルには、当該情報処理端末１ａのステータス種別Ａ毎に割り当てられる別のステータスが、他情報処理端末から通知されるステータス「離席中」、「在席中」、「仕事中」…毎に、設定されている。なお、他情報処理端末から通知されるあるステータスにおける一連の別のステータスを変換要素テーブルと称することがある。
【００９７】
図８に示す、本発明の第１実施形態のプレゼンス配信システムによる通信シーケンスのように、サーバ２は、図４のシーケンスに示す処理（５）、（６）を行った情報処理端末１ａから基本プレゼンスを受信するように、そのユーザの状態に対応するステータスを特定し（処理（１２））、そのステータスをボディ部に付与したＰＵＢＬＩＳＨメッセージをサーバに送信する（処理（１３））情報処理端末１ｂ、１ｃ、１ｄからも、同様に基本プレゼンスを受信することができる。ＰＵＢＬＩＳＨメッセージを情報処理端末１ａから受信したサーバ２は、ＰＵＢＬＩＳＨメッセージに付与されているステータスを抽出し、記憶部２２に記憶しておいた変換テーブルＢ、Ｃ、Ｄ毎に、抽出したステータスの種別に対応する別のステータスを、処理（１３）にて情報処理端末１ｂ、１ｃ、１ｄからそれぞれ受信したＰＵＢＬＩＳＨメッセージに付与されているステータス（「離席中」、「在席中」、「仕事中」…のいずれか）に対応する交換要素テーブルの中から特定する（処理（８））。
【００９８】
また、図９に示す、本発明の第２実施形態のプレゼンス配信システムによる通信シーケンスのように、情報処理端末１ｂ、１ｃ、１ｄは、情報処理端末１ａが図６のシーケンスに示す処理（８）を行ってユーザＡの状態に対応するステータスを特定しているように、同様にユーザＢ、Ｃ、Ｄの状態に対応するステータスを特定している（処理（１５））。ＮＯＴＩＦＹメッセージをサーバ２から受信した情報処理端末１ｂ、１ｃ、１ｄは、ＮＯＴＩＦＹメッセージに付与されているステータスを抽出し、自端末の記憶部２２に記憶しておいた受信変換テーブルＡを参照して、抽出したステータスの種別に対応する別のステータスを、処理（１５）にて情報処理端末１ｂ、１ｃ、１ｄが特定したステータス（「離席中」、「在席中」、「仕事中」…のいずれか）に対応する交換要素テーブルの中から特定する（処理（１３））。
【００９９】
この構成により、他の情報処理端末により細かな内容のプレゼンスを通知することができる。
【０１００】
また、送信元となる情報処理端末のステータス種別毎に、時間帯「００：００−０４：００」、「０４：００−０８：００」、「０８：００−１２：００」…やプレゼンスの送信先の情報処理端末のステータス「離席中」、「在席中」、「仕事中」…の組み合わせに応じて、別のステータスを割り当てるようにしても構わない。すなわち、図１０に示す、本発明の第３実施形態のプレゼンス配信システムにおける変換テーブルのマトリックスのように、送信元のユーザのステータス種別、時間帯、及び送信先のユーザのステータス種別を軸とする３次元のマトリックスであって、マトリックスを構成する各セルに別のステータスが割り当てられる変換テーブルであっても構わない。なお、図１０のようなマトリックス自体にはメッセージそのものを記憶する代わりに、このマトリックス自体にはステータス種別を示す番号、又はステータス種別に関する情報の格納先を示すポインタ若しくはアドレスを記憶するようにしてもよい。
【０１０１】
なお、上記送信先の情報処理端末のステータス種別として、当該送信先の情報処理端末の位置の位置情報としてもよい。このとき、送信先の情報処理端末の位置情報に応じて、送信先の情報処理端末のステータス「離席中」、「在席中」、「仕事中」…が特定される。
【０１０２】
以上、本発明の第３実施形態のプレゼンス配信システムによれば、プレゼンスの送信元となる情報処理端末は、プレゼンスの送信先となる他の情報処理端末に、より細かな内容のプレゼンスを通知することができる。このため、当該システムの利用者に提供するプレゼンス配信サービスの利便性が向上する。
【０１０３】
本発明を詳細にまた特定の実施態様を参照して説明したが、本発明の精神と範囲を逸脱することなく様々な変更や修正を加えることができることは当業者にとって明らかである。
【産業上の利用可能性】
【０１０４】
本発明により、プレゼンスの通知によって複数のメンバに何らかの情報を伝える際に、一律に同じ内容を伝えるのではなく、メンバに応じて、伝える内容に差異を設けることが可能となる結果、ユーザの利便性が向上するという効果を奏し、ＩＭＰＳを実施可能なプレゼンス配信システムの分野において有用である。
【符号の説明】
【０１０５】
１  情報処理端末
１１  無線通信部
１２  位置決定部
１３  時刻取得部
１４、５１  記憶部
１５、５２  プレゼンス決定部
１６  出力部
１６１  スピーカ
１６２  表示部
１７  入力部
１７１  操作ボタン
１７２  マイク
【手続補正３】
【補正対象書類名】図面
【補正対象項目名】全図
【補正方法】変更
【補正の内容】
【図１】
2008155858.tif 000013
【図２】
2008155858.tif 000014
【図３】
2008155858.tif 000015
【図４】
2008155858.tif 000016
【図５】
2008155858.tif 000017
【図６】
2008155858.tif 000018
【図７】
2008155858.tif 000019
【図８】
2008155858.tif 000020
【図９】
2008155858.tif 000021
【図１０】
2008155858.tif 000022
【国際調査報告】
2008155858.tif 000023
2008155858.tif 000024
2008155858.tif 000025
2008155858.tif 000026